(57)【要約】ある錠前の両プラグが相互制御、ロック解除方法に関するものである。まず、第一プラグ（１１１、２４、３２２、５２）を解除する。第一プラグ（１１１、２４、３２２、５２）を解除する前、第一プラグ（１１１、２４、３２２、５２）は第二プラグ（１２１、２３、３２１、５３）の解除を制限する。第二プラグ（１２１、２３、３２１、５３）は第一プラグ（１１１、２４、３２２、５２）の回転を制限する。第一プラグ（１１１、２４、３２２、５２）が解除された後、プレセットの位置偏差を利用して、第一位置から第二位置に移動できるが、回転できない。第一プラグ（１１１、２４、３２２、５２）が所定位置につくと、第二プラグ（１２１、２３、３２１、５３）に対する制限を解除するが、第二プラグ（１２１、２３、３２１、５３）はまだ第一プラグ（１１１、２４、３２２、５２）の回転を制限する。第二プラグ（１２１、２３、３２１、５３）を解除してからこそ、第一プラグ（１１１、２４、３２２、５２）と二面目プラグ（１２１、２３、３２１、５３）を同時に回転できるようになり、開錠する。また、ある一種の二つのプラグが相互制御する錠前に関する。【選択図】図１
2018509543.tif 000002
【特許請求の範囲】
【請求項１】
まず、第一プラグを解除する。第一プラグを解除する前、第一プラグは第二のプラグの解除を制限する。第二プラグは第一プラグの回転を制限する。第一のプラグを解除した後、プレセットの位置偏差を利用して、第一位置から第二位置に移動できるが、回転できない。第一プラグが所定位置につくと、第二プラグに対する制限を解除するが、第二プラグはまだ第一プラグの回転を制限する。そして、第二プラグを解除する。第二プラグを解除した後、第一プラグと二面目プラグを同時に回転できるようになり、開錠する。上記のことを特徴とするある一種の錠前の両プラグの相互制御、ロック解除方法。
【請求項２】
より一歩、第一プラグが変位する時、第一プラグは第一位置から第二位置に移動することによる時差を利用して、第二プラグにある解除パーツの挿入口を一部閉鎖状態または完全閉鎖状態にさせる。上記のことを特徴とする、請求項１に記載した錠前の両プラグの相互制御、ロック解除方法。
【請求項３】
同一の解除パーツにある違う解除位置により、第一プラグと第二プラグを解除する。上記のことを特徴とする、請求項１或いは２に記載した錠前の両プラグの相互制御、ロック解除方法。
【請求項４】
正しい解除パーツを使う時、第一プラグが所定位置に付くと、第一プラグは第二プラグが解除されることに対する制限を解除する。それとともに、解除パーツは第二プラグも解除する。上記のことを特徴とする、請求項３に記載した錠前の両プラグの相互制御、ロック解除方法。
【請求項５】
第一プラグが解除されても、回転できない。これは第一プラグがその自身の回転を制限することも含める。第一プラグが所定位置に移動されると、第一プラグその自身は自身の回転に対する制限を解除する。上記のことを特徴とする、請求項１に記載した錠前の両プラグの相互制御、ロック解除方法。
【請求項６】
前述した第一プラグが第二プラグが解除されることに対する制限を解除するのは、第一プラグの動き部品を第二プラグのパスワードと関連させることである。第一プラグが移動する前に、正解の解除パーツだとしても、第二プラグを解除できない。第一プラグが所定位置に付くと、第一プラグの動き部品が第二プラグを解除することにより、第二プラグは正解の解除パーツで解除させられるようになる。上記のことを特徴とする、請求項１に記載した錠前の両プラグの相互制御、ロック解除方法。
【請求項７】
前述した第二プラグが第一プラグの回転を制限するのは第二プラグの回転を第一プラグの回転動作に関連させ、第二プラグが回転できない場合に、第一リンダーも単独的に回転できないことである。上記のことを特徴とする、請求項１に記載した錠前の両プラグの相互制御、ロック解除方法。
【請求項８】
前述した第一プラグが所定位置に付く時、第二プラグにある解除パーツの挿入口を一部閉鎖状態または完全閉鎖状態にさせるのとは、第一プラグの動き部品を第二プラグのパスワードに関連させ、第一プラグが動く前、まだ第二プラグに力を入れてないが、第一プラグの動作が完了すると、第二プラグは第一プラグの動き部品の影響を受けて、第二プラグにある解除パーツの挿入口が一部閉鎖状態または完全閉鎖状態にさせることである。上記のことを特徴とする、請求項６に記載した錠前の両プラグの相互制御、ロック解除方法。
【請求項９】
該当錠前はシリンダーと鍵を含める。前述したシリンダーは外筒、第一プラグと第二プラグを含める。第一プラグと第二プラグを回転できるように外筒に取り付ける。第一プラグ、第二プラグとシリンダーとの間に、其々鍵で解除できる第一施錠機構と第二施錠機構を据え付けて、第一プラグと第二プラグをシリンダーでの回転を制限する。その特徴は下記のようになる。第一プラグと第二プラグは制御可能の連結である。第一プラグには第二施錠機構を制御する制御装置を取り付ける。第一プラグにはプレセットの位置偏差があり、第一プラグが移動する前に、第二施錠機構を解除する条件がない。鍵を鍵穴に差し入れると、まず鍵は第一施錠機構を解除する。そして、鍵で第一プラグをプリセットの位置偏差に沿い、第一位置から第二位置に移動させる。第一プラグが所定位置に付くと、前述した制御装置が第二施錠機構に対する制御を解除することにより、鍵は第二施錠機構を解除する。第一、第二プラグは鍵に連動されて回転できるようになり、開錠する。
【請求項１０】
前述した第一プラグと第二プラグの位置を前後にする。前述した第一プラグは後ろプラグで、第二プラグは前プラグとなる。前述した第一施錠機構、第二施錠機構を其々後ろ施錠機構と前施錠機構のことである。前プラグ、後プラグを回転できるように外筒に取り付ける。前プラグと後ろプラグは制御可能の連結である。後ろプラグには前施錠機構を制御する制御装置も取り付ける。後ろプラグが所定位置に移動する前に、前施錠機構を解除する条件がない。鍵を鍵穴に差し入れると、まず鍵は後ろ施錠機構を解除する。そして、鍵で後ろプラグを軸方向に沿い、後の所定位置に移動させる。前述した制御装置が前施錠機構に対する制御を解除することにより、鍵は前施錠機構を解除する。前プラグ、後ろプラグは鍵に連動され同時に回転できるようになり、開錠する。上記のことを特徴とする、請求項９に記載した二つのプラグが相互制御する錠前。
【請求項１１】
前述した第一プラグ、第二プラグは両方とも半円筒形状である。前述した第一プラグは下プラグで、第二プラグは上プラグとなる。第一施錠機構と第二施錠機構は其々、上施錠機構と下施錠機構のことである。鍵には上と下のキーウェイを設置してあり、其々、上と下の施錠機構を解除する。鍵を鍵穴に差し込むと、鍵の下キーウェイはまず、下施錠機構を解除して、そして、鍵で下プラグを軸方向に沿い、後ろの所定位置に移動させる。この時、前述した制御装置が上錠施錠機構に対する制御を解除するとこにより、鍵の上キーウェイが上施錠機構を解除できるようになる。上、下プラグは鍵に連動され同時に回転できるようになり、開錠する。上記のことを特徴とする、請求項９に記載した二つのプラグが相互制御する錠前。
【請求項１２】
前述した第一プラグと第二プラグは内、外に設置する。前述した第一プラグは内プラグで、第二プラグは外プラグとなる。前述した第一施錠機構と第二施錠機構は其々、内施錠機構と外施錠機構のことである。回転できるように外プラグを外筒に設置して、そして、外筒での回転を制限するために、外プラグと外筒の間に、鍵で解除できる外施錠機構を取り付ける。回転できるように内プラグを外プラグに設置して、そして、外プラグでの回転を制限するために、内プラグと外プラグとの間に、鍵で解除できる内施錠構造を取り付ける。内プラグと外プラグは制御可能の連結である。内プラグには外施錠構造を制御する制御構造を取り付ける。内プラグが所定位置に移動する前に、外施錠構造を解除する条件がない。鍵を鍵穴に差し入れると、まず鍵は内施錠構造を解除する。そして、鍵で内プラグを回転する。内プラグが所定位置に付くと、前述した制御構造が外施錠構造に対する制御を解除することにより、鍵は外施錠構造を解除する。内、外プラグは鍵に連動され回転できるようになり、開錠する。上記のことを特徴とする、請求項９に記載した二つのプラグが相互制御する錠前。
【請求項１３】
鍵穴の前部に設置してある開閉扉機構も含める。該当開閉扉は第一プラグと連動して、第一プラグがプレセットの位置偏差に沿い、第一位置から第二位置に移動すると、該当開閉扉機構は鍵穴を閉める。上記のことを特徴とする、請求項９或いは１０、或いは１１、或いは１２に記載した二つのプラグが相互制御する錠前。
【請求項１４】
前述した開閉扉機構には両方とも鍵穴前部に設置してある上扉と下扉を含める。前述した第一プラグは鍵穴の軸方向に沿い取り付けられる上扉押し棒と下扉押し棒により、前述した上扉と下扉と嵌め合い斜面を形成する第一プラグがプレセットの位置偏差に沿い、第一位置から第二位置に移動すると、前述した上扉と下扉は鍵穴を閉めるまで、閉める方向に移動する。上記のことを特徴とする、請求項１３に記載した二つのプラグが相互制御する錠前。
【請求項１５】
より一歩、遅延タイマーも含める。該遅延タイマーは外筒が前述した制御装置との間に設置され、第一プラグがプレセットの位置偏差に沿い、所定位置に付くと、前述した制御装置が遅延タイマーを押して、遅延タイマーのエネルギーを蓄える。第一プラグと第二プラグが同時に回転する時、遅延タイマーはエネルギーを放出できなく、制御装置を戻させない。第一プラグと第二プラグは回転しない場合に、遅延タイマーは設定された時間内にエネルギーを放出して制御装置を、第二施錠機構を制御する位置に戻させる。上記のことを特徴とする、請求項９或いは１０、或いは１１、或いは１２  に記載した二つのプラグが相互制御する錠前。
【請求項１６】
前述した遅延タイマーは水圧式遅延タイマー、機械式遅延タイマー、時計付き遅延タイマー、または減衰タイマーを含める。前述した水圧式遅延タイマーは本体、ピストン、内管、スプリング、軸芯を含める。前述した内管が本体の中に固定される一方、内管と本体との間に油室を設置する。前述したピストンはスプリング―のスライドにより内管の中に取り付けられる。ピストンと内管との間に内管内部と前述した油室を繋がっている空気穴を設置する。前述した軸心の一端はピストンと結び、もう一端は前述した制御装置と連接する。油が速やかに内管内部から油室に流動できるために、前述した内管には単方向バルブも設置する。前述した機械式遅延タイマーは突出ピン、変転ブロック、固定座と圧縮ばねを含める。前述した突出ピン、変転ブロック、固定座と圧縮ばねを固定座の内部に設置する。突出ピンのボススライドを固定座のシュートに据え付ける。圧縮ばねの末端を引いて、固定座末端の内壁に固定して、圧縮ばねの前端を引いて、変転ブロック末端にある孔の末端に結び付ける。動けるように変転ブロックの前端を突出ピンの末端にある孔の末端に取付けて、変転ブロックのボスはまた固定座のシュートと組合せ、突出ピンの前端が前述した制御装置と繋がる。突出ピンがプッシュされる時、変転ブロックを連動して後ろに移動して、それとともに、圧縮ばねを圧縮することにより、圧縮ばねがエネルギーを蓄える。変転ブロックが固定座のシュートから脱出する時、シュートの斜面は突出ピンの斜面、固定座の斜面と見合うことにより、ある角度の回転ができる。変転ブロックの回転スピードは変転ブロックの斜面、突出ピンの斜面、固定座の斜面の傾角と摩擦係数に制御されるため、変転ブロックがディレーして動く。前述した時計付き遅延タイマーはラック、減速機構、脱進機、振動機構、エネルギー貯蔵機構と単方向転送機構を含める。前述したラックの一端は前述した制御装置と連接して、前述したラックが減速機構と組合せる。前述した減速機構は前述した脱進機と連動する。前述したエネルギー貯蔵機構は前述した脱進機と連動する。前述した単方向転送機構は脱進機と減速機構の間に取り付けられる。脱進機は振動機構と組合せる。前述した減衰遅延タイマーはラック、減衰機構、圧縮ばねと減衰器を含める。前述したラックの一端は前述した制御装置と連接する。前述した圧縮ばねを引いて、ラックのもう一端に結び付ける。ラックの歯の仕組みは減衰機構と組合せる。前述した減衰器は減衰バルブと減衰ケースを含める。前述した減衰バルブは減衰ケースに取り付けられて、減衰機構と同軸で、連接している。上記のことを特徴とする、請求項１５に記載した二つのプラグが相互制御する錠前。
【請求項１７】
前述した二番目施錠機構はピン機構であり、該ピン機構がラジアル方向に沿い、二番目プラグと外筒の間に設置して第二プラグを制限する。前述した第二プラグを軸方向に沿い、且つ前述したピン機構にある孔の押し棒シュートに繋がる。前述した制御装置はピン押し棒を含め、前述した制御装置のピン押し棒は第二プラグにあり、ピン機構のピンを制御する。制御装置にあるピン押し棒の一端は第二プラグと連動する。上記のことを特徴とする、請求項１０或いは１１、或いは１２に記載した二つのプラグが相互制御する錠前。
【請求項１８】
前述した制御装置にあるピン押し棒の一端に溝を設置する。前述した第一プラグにはブロック固定溝を設置する。一つのブロックは制御装置のピン押し棒にある溝と第一プラグのブロック固定溝を連結して、制御装置にあるピン押し棒の一端と第一プラグと連動させる。第一プラグが位置偏差方向に沿い、移動すると、第一プラグはブロックを通して、制御装置にあるピン押し棒を軸方向に沿い移動させる。上記のことを特徴とする、請求項１７に記載した二つのプラグが相互制御する錠前。
【請求項１９】
前述した第二プラグには凸部を設置する。該第二プラグの凸部は第一プラグのブロック固定溝と制御装置にあるピン押し棒の溝との間にある。前述した第二プラグの凸部にはブロックシュートを設置する。前述したブロックは前述した第二プラグの凸部のブロックシュートを貫き、制御装置のピン押し棒の溝と第一プラグのブロック固定溝の間に嵌める。第一プラグはブロックを通して、制御装置にあるピン押し棒を軸方向に沿い移動させる時、前述したブロックが軸方向に沿い、第二プラグの凸部のブロックシュートの中に移動する。上記のことを特徴とする、請求項１８に記載した二つのプラグが相互制御する錠前。
【請求項２０】
前述した第二プラグの凸部のブロックシュートに斜面シュートがあり、前述したブロックが第二プラグの凸部のブロックシュートの斜面シュートと組み合わせ、ブロックを第二プラグのブロックシュートの中に、軸方向とラジアル方向に沿い移動させる。第二プラグが位置偏差方向に沿い、所定位置に付くと、前述したブロックは制御装置にあるピン押し棒の溝から脱出する。前述したブロックの底にはばねを設置してある。前述したブロックの両側には翼を設置する。前述した第二プラグにあるブロックシュートの斜面シュートは下向きに設置される。前述したブロックはばねにより、第一プラグのブロック固定溝に設置される。前述したブロックの翼は前述した第二プラグのブロックシュートの斜面シュートにくっつける。上記のことを特徴とする、請求項１９に記載した二つのプラグが相互制御する錠前。
【請求項２１】
前述した上プラグと外筒の間にある上施錠機構は羽機構である。前述した羽機構はラジアル方向に沿い、上プラグと外筒の間に設置され、上プラグの回転を制限するストッパーと、上プラグの中に設置され、前述したストッパーと連動できる羽仕組みを含める。前述した上プラグには軸方向に沿い、前述したストッパーと繋がる押し棒シュートも設置してある。前述した制御装置はストッパー押し棒を含める。前述した制御装置のストッパー押し棒は上プラグの押し棒シュートに取り付けられて、羽仕組みのストッパーを制御する。制御装置のストッパー押し棒の末端は下プラグと連動する。上記のことを特徴とする、請求項１１に記載した二つのプラグが相互制御する錠前。
【請求項２２】
前述した制御装置のストッパー押し棒にはストッパーに対して軸方向に沿い移動できるシュートを設置してある。前述した制御装置のストッパー押し棒のシュートには斜面を設置する。前述したストッパーには凸部を設置する。制御装置のストッパー押し棒が後の所定位置に付く前に、ストッパーをラジアル方向に沿い落下させないように、前述した制御装置のストッパー押し棒の斜面は上向きにされて、そして、前述したストッパーの凸部と組み合わせる。前述した制御装置のストッパー押し棒の末端には穴を設置する。前述した下プラグにはブロック固定溝を設置する。一つのブロックは制御装置のストッパー押し棒の穴と下プラグのブロック固定溝を繋がり、制御装置のストッパー押し棒の末端と下プラグと連動させる。下プラグが軸方向に沿い移動する時、下プラグはブロックにより、制御装置のストッパー押し棒を連動して軸方向に沿い後に移動させる。上記のことを特徴とする、請求項２１に記載した二つのプラグが相互制御する錠前。
【請求項２３】
前述した上プラグの押し棒シュートの底に軸方向に沿いブロックシュートを設置する。前述した上プラグのブロックシュートがブロックのブロック固定溝と制御装置のストッパー押し棒の穴の間に設置される。前述下ブロックは前述した上プラグのブロックシュートを貫き、制御装置のストッパー押し棒の穴と下プラグのブロック固定溝の間に嵌める。下プラグがブロックにより制御装置のストッパー押し棒を軸方法に沿い移動させる時、前述したブロックは軸方向に沿い、上プラグのブロックシュートの中に移動する。上記のことを特徴とする、請求項２２に記載した二つのプラグが相互制御する錠前。
【請求項２４】
前述した上プラグのブロックシュートには斜面シュートを設置する。前述したブロックは上プラグのブロックシュートの斜面シュートと組み合わせ、ブロックが上プラグのブロックシュートの中に軸方向に沿い移動させるとともに、ラジアル方向に沿い移動させる。下プラグは軸方向に沿い所定位置に移動する時、前述したブロックは制御装置のストッパー押し棒の穴から脱出する。同時に、前述したブロックの底にばねを設置する。前述したブロックの両側に翼を設置する。前述した上プラグのブロックシュートの斜面シュートが下向きに設置される。前述したブロックはばねにより下プラグのブロック固定溝に取り付けられる。前述したブロックの翼は前述した上プラグのブロックシュートの斜面シュートにくっつける。上記のことを特徴とする、請求項２３に記載した二つのプラグが相互制御する錠前。
【請求項２５】
本発明の優先方案の一つとして、前述した外プラグと外筒の間に外施錠機構はピン機構である。該ピン機構は軸方向に沿い、外プラグと外筒の間に取り付けられて、外プラグの回転を制限する。前述した外プラグに軸方向に沿い前述したピン機構のピン穴と繋がる押し棒シュートを設置する。前述した制御装置はピン押し棒とラッチボルトを含める。前述した制御装置のピン押し棒は外プラグの押し棒シュートに取り付けられて、ピン機構のピンを制御する。制御装置のピン押し棒の末端はラッチボルトと連動する。前述したラッチボルトを外プラグの後部に据え付けられる。上記のことを特徴とする、請求項１２に記載した二つのプラグが相互制御する錠前。
【請求項２６】
前述した制御装置のラッチボルトの前端には斜面を設置する。内プラグに軸方向に沿い、突出した凸部を設置する。制御装置のラッチボルトの斜面は内プラグの凸部と組み合わせることにより、内プラグを回転する時、ラッチボルトがそれに応じて軸方向に沿い移動させられる。こうして、制御装置のピン押し棒も軸方向に沿い移動させる。上記のことを特徴とする、請求項２５に記載した二つのプラグが相互制御する錠前。
【請求項２７】
前述した第一プラグと第二プラグの位置を前後にする。前述した第一プラグは後ろプラグで、第二プラグは前プラグとなる。前述した第一施錠機構、第二施錠機構を其々後ろ施錠機構と前施錠機構のことである。前述した前施錠機構は羽仕組みである。該羽仕組みは一つのストッパーと幾つかのストッパーの底にある凸部と合わせる羽を含める。羽には少なくとも一つの正解溝と一つのわな溝を設置する。後プラグにはストッパーを制御する制御装置も取り付ける。後プラグが所定位置に付く前に、ストッパーが落下できない。鍵を鍵穴に差し込むと、鍵はまず、後施錠機構を解除して、そして、鍵で後ろプラグを押して、軸方向に沿い後の所定位置に移動させることにより、ストッパーに落下させる。ストッパーが羽の正解溝に落ちると、前施錠機構が解除される。前、後プラグは鍵により同時に回転できるようになり、開錠する。ストッパーがわな溝に落ちると、前施錠機構が会解除されてないので、羽は移動できない。上記のことを特徴とする、請求項９に記載した二つのプラグが相互制御する錠前。
【請求項２８】
本発明の優先方案の一つとして、前述した制御装置はストッパー押し棒と、ストッパー押し棒とストッパーの間にある組合せ構造を含める。前述した前プラグに軸方向に沿う押し棒溝を設置する。該押し棒溝は前プラグの中にあるストッパーを入れているストッパー溝と繋がる。前述したストッパー押し棒は滑られるように前プラグの押し棒溝に取り付けられて、ストッパーと組み合わせる。前述した制御装置のストッパー押し棒の末端は前述した後プラグと連動する。後施錠機構が解除されない時、制御装置のストッパー押し棒は移動できない。制御装置のストッパー押し棒は所定位置に付く前に、ストッパーは下がらない。上記のことを特徴とする、請求項２７に記載した二つのプラグが相互制御する錠前。
【請求項２９】
前述したストッパー押し棒とストッパーの間にある組合せ構造は下記のものを含める。制御装置のストッパ押し棒に設置されるシュートである。前述したストッパーが滑られるように前述したストッパー押し棒のシュートに取り付けられて、制御装置のストッパー押し棒とストッパーは交差して移動させられる。ストッパーに設置される凸ボスと制御装置のストッパー押し棒のシュートに設置される斜面、及び斜面に水平方向にそい設置される金属片を含める。前述した制御装置のストッパー押し棒のシュートの斜面の底に凸ボスを設置する。前述した第一金属片の一端は前述した制御装置のストッパー押し棒のシュートの斜面の底にある凸ボスに固定される。前述した金属片のもう一端は自由に制御装置のストッパー押し棒のシュートの斜面の頂部に置く。上記のことを特徴とする、請求項２８に記載した二つのプラグが相互制御する錠前。
【請求項３０】
前述したストッパーの一凸ボスの突出寸法プラス制御装置のストッパー押し棒のシュートの斜面にある凸ボスの幅寸法は制御装置のストッパー押し棒のシュートの斜面の幅寸法より小さくする。前述した金属片の幅寸法は制御装置のストッパー押し棒のシュートの斜面の幅寸法と同じである。上記のことを特徴とする、請求項２９に記載した二つのプラグが相互制御する錠前。
【請求項３１】
制御装置のストッパー押し棒は後の所定位置に付く前、ストッパー凸ボスが金属片に制限されることにより、ストッパーは下がらない。制御装置のストッパー押し棒が後の所定位置に付くと、ストッパーの凸ボスが金属片の制限から解放することにより、ストッパーは下がる。制御装置のストッパー押し棒が前に移動する時、ストッパーの凸ボスは制御装置のストッパー押し棒のシュートの斜面に沿い上に移動する。制御装置のストッパー押し棒が前の所定位置に付くと、ストッパーの凸ボスは金属片の自由端を外して、改めて金属片の頂部に戻す。上記のことを特徴とする、請求項３０に記載した二つのプラグが相互制御する錠前。
【発明の詳細な説明】
【技術分野】
【０００１】
本発明はある一種の両プラグの錠前、特に、両プラグの相互制御とそのロック解除方法及び両プラグが相互制御の錠前に関する。
【背景技術】
【０００２】
現有の錠前には、ピンタンブラー錠が一番広く使用されているが、各種類のピンタンブラー錠は使用する時に、様々な不足があり、プロの器具で開錠されやすい。開錠方法はとても簡単で、開錠専用のテンションで、錠本体とプラグの中にあるピンをプラグと錠本体との境界に押してから、プラグを回転して、開錠する。或いは、スズ紙に包まれる鍵を鍵穴に差し入れて揺れると、スズ紙にピンの打痕を残すことにより、ピンを全てプラグと錠本体との境界に落ちて、プラグを回転して開錠する。又は、歯のついた器具で突き当ったり、プラグにあるピンをこっちあっちにかき回したりして、開錠する。ひいては、ある違法者は器具で、無理やりプラグを回転させ、開錠する。技術または暴力で開錠する方法がたくさんあることが分かる。従来のピンタンブラー錠には様々な欠陥があるため、安全性を大幅に低下して、盗犯者にとっては便利で、盗難事件が頻繁的に起こる原因になる。安全性を高めるために、現有技術としては、二つのプラグがある錠前を使用する。例えば、特許ＣＮ２０３９２５００６Ｕ、ＣＮ２０３６０３６２７Ｕ  とＣＮ２０３７６９４６６Ｕに公表したものである。でも、現有のこれらの両プラグ構造には二つのプラグが並んで設置され、殆ど二つの鍵を使用して開錠する。他と同様で、技術または暴力で開錠されやすい問題がある。
【先行技術文献】
【特許文献】
【０００３】
【特許文献１】ＣＮ２０３９２５００６Ｕ
【特許文献２】ＣＮ２０３６０３６２７Ｕ
【特許文献３】ＣＮ２０３７６９４６６Ｕ
【発明の概要】
【課題を解決するための手段】
【０００４】
現有技術に存在する技術問題を解決する為、本発明はある一種の錠前の両プラグの相互制御、ロック解除方法及びプラグが二つある錠前を提供する。
本発明には上述の技術問題を解決する為、採用する技術方案が下記のようになる。
ある一種の錠前の両プラグの相互制御、ロック解除方法は下記のものを含める。
【０００５】
先ず、第一プラグを解除する。第一プラグが解除される前、第一プラグは第二プラグの解除を制限する。第二プラグは第一プラグの回転を制限する。
【０００６】
第一プラグが解除された後、第一プラグはプリセットの位置偏差により、第一位置から第二位置に移行できるが、回転できない。
【０００７】
第一プラグが所定位置につくと、第二プラグに対する制限を解除するが、第二プラグはまだ第一プラグの回転を制限する。
【０００８】
第二プラグを開錠してから、第一プラグと第二プラグが同時に回転できるようになり、開錠する。
【０００９】
本発明の優先方案の一つとして、より一歩、第一プラグが変位する時、第一プラグは第一位置から第二位置に移動することによる時差を利用して、第二プラグにある解除パーツの挿入口を一部閉鎖状態または完全閉鎖状態にさせる。
【００１０】
本発明の優先方案の一つとして、同一の解除パーツにある違う解除位置により、前述した第一プラグと第二プラグを解除する。
【００１１】
本発明の優先方案の一つとして、正解の解除パーツを使う場合、第一プラグは所定位置に付くと、第二プラグに対する制限を解除した後、それとともに、解除パーツが第二プラグを解除する。
【００１２】
本発明の優先方案の一つとして、第一プラグはその本体を制限しているため、前述した第一プラグが解除されても回転できない。第一プラグは所定位置につかないと、それが自身の回転に対する制限を解除しない。
【００１３】
本発明の優先方案の一つとして、前述した第一プラグが第二プラグの解除を制限することは、第一プラグの動き部品を第二プラグのパスワードに関連させて、第一プラグが変位する前に、正解の解除パーツだとしても、第二プラグを解除できないのである。第一プラグが所定位置に付くと、第一プラグの動き部品は第二プラグを解除することにより、第二プラグは正解の解除パーツで解除させられるようになる。
【００１４】
本発明の優先方案の一つとして、前述した第二プラグが第一プラグの回転を制限するのは第二プラグの回転を第一プラグの回転動作に関連させ、第二プラグが回転できない場合に、第一プラグも単独的に回転できない。
【００１５】
本発明の優先方案の一つとして、前述した第一プラグが所定位置に付く時、第二プラグにある解除パーツの挿入口を一部閉鎖状態または完全閉鎖状態にさせるのとは、第一プラグの動き部品を第二プラグのパスワードに関連させ、第一プラグが動く前、まだ第二プラグに力を入れてないが、第一プラグの動作が完了すると、第二プラグは第一プラグの動き部品の影響を受けて、第二プラグにある解除パーツの挿入口が一部閉鎖状態または完全閉鎖状態になる。
【００１６】
本発明は二つのプラグが相互制御する錠前を提供する。該当錠前はシリンダーと鍵を含める。前述したシリンダーは外筒、第一プラグと第二プラグを含める。第一プラグと第二プラグを回転できるように外筒に取り付ける。第一プラグ、第二プラグとシリンダーとの間に、其々鍵で解除できる第一施錠機構と第二施錠機構を据え付けて、第一プラグと第二プラグをシリンダーでの回転を制限する。第一プラグと第二プラグは制御可能の連結である。第一プラグには第二施錠機構を制御する制御装置を取り付ける。第一プラグにはプレセットの位置偏差があり、第一プラグが移動する前に、第二施錠機構を解除する条件がない。鍵を鍵穴に差し入れると、まず鍵は第一施錠機構を解除する。そして、鍵で第一プラグをプリセットの位置偏差に沿い、第一位置から第二位置に移動させる。第一プラグが所定位置に付くと、前述した制御装置が第二施錠機構に対する制御を解除することにより、鍵は第二施錠機構を解除する。第一、第二プラグは鍵に連動され回転できるようになり、開錠する。
【００１７】
本発明の優先方案の一つとして、前述した第一プラグと第二プラグの位置を前後にする。前述した第一プラグは後ろプラグで、第二プラグは前プラグとなる。前述した第一施錠機構、第二施錠機構を其々後ろ施錠機構と前施錠機構のことである。回転できるように前プラグ、後ろプラグをシリンダーに設置して、シリンダーに対する前プラグと後ろプラグの回転を制限するために、前プラグ、後ろプラグがシリンダーとの間に、其々、鍵で解除できる前施錠機構と後ろ施錠機構を取り付ける。前プラグと後ろプラグは制御可能の連結である。後ろプラグには前施錠機構を制御する制御装置を取り付ける。後ろプラグが所定位置に移動する前に、前施錠機構を解除する条件がない。鍵を鍵穴に差し入れると、まず鍵は後ろ施錠機構を解除する。そして、鍵で後ろプラグをプリセットの位置偏差に沿い、移動する。後ろプラグが所定位置に付くと、前述した制御装置が前施錠機構に対する制御を解除することにより、鍵は前施錠機構を解除する。前、後ろプラグは鍵に連動され回転すると、開錠する。
【００１８】
本発明の優先方案の一つとして、前述した第一プラグ、第二プラグは両方とも半円筒形状である。前述した第一プラグは下プラグで、第二プラグは上プラグとなる。第一施錠機構と第二施錠機構は其々、上施錠機構とした施錠機構のことである。鍵には上と下のキーウェイを設置してあり、其々、上と下の施錠機構を解除する。鍵を鍵穴に差し込むと、鍵の下キーウェイはまず、下施錠機構を解除して、そして、鍵で下プラグをプリセットの位置偏差に沿い、後ろに移動させる。所定位置に付くと、前述した制御装置が錠施錠機構に対する制御を解除するとこにより、鍵の上キーウェイが内施錠機構を解除できるようになる。上、下プラグは鍵に連動され、開錠する。
【００１９】
本発明の優先方案の一つとして、前述した第一プラグと第二プラグは内、外に設置する。前述した第一プラグは内プラグで、第二プラグは外プラグとなる。前述した第一施錠機構と第二施錠機構は其々、内施錠機構と外施錠機構のことである。回転できるように外プラグを外筒に設置して、そして、外筒での回転を制限するために、外プラグと外筒の間に、鍵で解除できる外施錠機構を取り付ける。回転できるように内プラグを外プラグに設置して、そして、外プラグでの回転を制限するために、内プラグと外プラグとの間に、鍵で解除できる内施錠機構を取り付ける。内プラグと外プラグは制御可能の連結である。内プラグには外施錠機構を制御する制御装置を取り付ける。内プラグが所定位置に移動する前に、外施錠機構を解除する条件がない。鍵を鍵穴に差し入れると、まず鍵は内施錠機構を解除する。そして、鍵で内プラグを回転する。内プラグが所定位置に付くと、前述した制御装置が外施錠機構に対する制御を解除することにより、鍵は外施錠機構を解除する。内、外プラグは鍵に連動され回転すると、開錠する。
【００２０】
本発明の優先方案の一つとして、より一歩、鍵穴の前部に設置してある開閉扉機構も含める。該当開閉扉は第一プラグと連動して、第一プラグがプレセットの位置偏差に沿い、第一位置から第二位置に移動すると、該当開閉扉機構は鍵穴を閉める。
【００２１】
本発明の優先方案の一つとして、前述した開閉扉機構には両方とも鍵穴前部に設置してある上扉と下扉を含める。前述した第一プラグは連動部品で、前述した上扉と下扉と連動して、第一プラグがプレセットの位置偏差に沿い、第一位置から第二位置に移動すると、前述した上扉と下扉は鍵穴を閉めるまで、閉める方向に移動する。
【００２２】
本発明の優先方案の一つとして、前述した連動部品は上扉押し棒と下扉押し棒を含める。前述した上扉押し棒と下扉押し棒は其々上扉と下扉と嵌め合い斜面を形成する。
【００２３】
本発明の優先方案の一つとして、より一歩、遅延タイマーも含める。該遅延タイマーは外筒が前述した制御装置との間に設置され、第一プラグがプレセットの位置偏差に沿い、所定位置に付くと、前述した制御装置が遅延タイマーを押して、遅延タイマーのエネルギーを蓄える。第一プラグと第二プラグが同時に回転する時、遅延タイマーはエネルギーを放出できなく、制御装置を戻させない。第一プラグと第二プラグは回転しない場合に、遅延タイマーは設定された時間内にエネルギーを放出して制御装置を、第二施錠機構を制御する位置に戻させる。
【００２４】
本発明の優先方案の一つとして、前述した遅延タイマーは水圧式遅延タイマー、機械式遅延タイマー、時計付き遅延タイマー、または減衰タイマー。
【００２５】
前述した水圧式遅延タイマーは本体、ピストン、内管、スプリング、軸芯を含める。前述した内管が本体の中に固定される一方、内管と本体との間に油室を設置する。前述したピストンはスプリング―のスライドにより内管の中に取り付けられる。ピストンと内管との間に内管内部と前述した油室を繋がっている空気穴を設置する。前述した軸心の一端はピストンと結び、もう一端は前述した制御装置と連接する。油が速やかに内管内部から油室に流動できるために、前述した内管には単方向バルブも設置する、
【００２６】
前述した機械式遅延タイマーは突出ピン、変転ブロック、固定座と圧縮ばねを含める。前述した突出ピン、変転ブロック、固定座と圧縮ばねを固定座の内部に設置する。突出ピンのボススライドを固定座のシュートに据え付ける。圧縮ばねの末端を引いて、固定座末端の内壁に固定して、圧縮ばねの前端を引いて、変転ブロック末端にある孔の末端に結び付ける。動けるように変転ブロックの前端を突出ピンの末端にある孔の末端に取付けて、変転ブロックのボスはまた固定座のシュートと組合せ、突出ピンの前端が前述した制御装置と繋がる。突出ピンがプッシュされる時、変転ブロックを連動して後ろに移動して、それとともに、圧縮ばねを圧縮することにより、圧縮ばねがエネルギーを蓄える。変転ブロックが固定座のシュートから脱出する時、シュートの斜面は突出ピンの斜面、固定座の斜面と見合うことにより、ある角度の回転ができる。変転ブロックの回転スピードは変転ブロックの斜面、突出ピンの斜面、固定座の斜面の傾角と摩擦係数に制御されるため、変転ブロックがディレーして動く。
【００２７】
前述した時計付き遅延タイマーはラック、減速機構、脱進機、振動機構、エネルギー貯蔵機構と単方向転送機構を含める。前述したラックの一端は前述した制御装置と連接して、前述したラックが減速機構と組合せる。前述した減速機構は前述した脱進機と連動する。前述したエネルギー貯蔵機構は前述した脱進機と連動する。前述した単方向転送機構は脱進機と減速機構の間に取り付けられる。脱進機は振動機構と組合せる。
【００２８】
前述した空気式遅延タイマーはラック、減衰機構、圧縮ばねと減衰器を含める。前述したラックの一端は前述した制御装置と連接する。前述した圧縮ばねを引いて、ラックのもう一端に結び付ける。ラックの歯の仕組みは減衰機構と組合せる。前述した減衰器は減衰バルブと減衰ケースを含める。前述した減衰バルブは減衰ケースに取り付けられて、減衰機構と同軸で、連接している。
【００２９】
本発明の優先方案の一つとして、前述した二番目施錠機構はピン機構であり、該ピン機構がラジアル方向に沿い、二番目プラグと外筒の間に設置して第二プラグを制限する。前述した第二プラグを軸方向に沿い、且つ前述したピン機構にあるキーウェイの押し棒シュートに繋がる。前述した制御装置はピン押し棒を含め、前述した制御装置のピン押し棒は第二プラグにあり、ピン機構のピンを制御する。制御装置にあるピン押し棒の一端は第二プラグと連動する。
【００３０】
本発明の優先方案の一つとして、前述した制御装置にあるピン押し棒には斜面のシュートを設置してあり、前述したピン機構のピンには制御装置のピン押し棒にある斜面シュートと合わせられる凸部を設置する。制御装置のピン押し棒は水平方向に沿い、移動する時、制御装置にあるピン押し棒の斜面シュートがピンの凸部との組合せにより、ピンの上下移動を制御でき、ピンが鍵で解除できない位置と鍵で解除できる位置に切りかえられるようになる。
【００３１】
本発明の優先方案の一つとして、前述した制御装置にあるピン押し棒の一端に溝を設置する。前述した第一プラグにはブロック固定溝を設置する。一つのブロックは制御装置のピン押し棒にある溝と第一プラグのブロック固定溝を連結して、制御装置にあるピン押し棒の一端と第一プラグと連動させる。第一プラグが位置偏差方向に沿い、移動すると、第一プラグはブロックを通して、制御装置にあるピン押し棒を軸方向に沿い移動させる。
【００３２】
本発明の優先方案の一つとして、前述した第二プラグには凸部を設置する。該第二プラグの凸部は第一プラグのブロック固定溝と制御装置にあるピン押し棒の溝との間にある。前述した第二プラグの凸部にはブロックシュートを設置する。前述したブロックは前述した第二プラグの凸部のブロックシュートを貫き、制御装置のピン押し棒の溝と第一プラグのブロック固定溝の間に嵌める。第一プラグはブロックを通して、制御装置にあるピン押し棒を軸方向に沿い移動させる時、前述したブロックが軸方向に沿い、第二プラグの凸部のブロックシュートの中に移動する。
【００３３】
本発明の優先方案の一つとして、前述した第二プラグの凸部のブロックシュートに斜面シュートがあり、前述したブロックが第二プラグの凸部のブロックシュートの斜面シュートと組み合わせ、ブロックを第二プラグのブロックシュートの中に、軸方向とラジアル方向に沿い移動させる。第二プラグが位置偏差方向に沿い、所定位置に付くと、前述したブロックは制御装置にあるピン押し棒の溝から脱出する。
【００３４】
本発明の優先方案の一つとして、前述したブロックの底にはばねを設置してある。前述したブロックの両側には翼を設置する。前述した第二プラグにあるブロックシュートの斜面シュートは下向きに設置される。前述したブロックはばねにより、第一プラグのブロック固定溝に設置される。前述したブロックの翼は前述した第二プラグのブロックシュートの斜面シュートにくっつける。
【００３５】
本発明の優先方案の一つとして、前述した上プラグと外筒の間にある上施錠機構は羽機構である。前述した羽機構はラジアル方向に沿い、上プラグと外筒の間に設置され、上プラグの回転を制限するストッパーと、上プラグの中に設置され、前述したストッパーと連動できる羽仕組みを含める。前述した上プラグには軸方向に沿い、前述したストッパーと繋がる押し棒シュートも設置してある。前述した制御装置はストッパー押し棒を含める。前述した制御装置のストッパー押し棒は上プラグの押し棒シュートに取り付けられて、羽仕組みのストッパーを制御する。制御装置のストッパー押し棒の末端は下プラグと連動する。
【００３６】
本発明の優先方案の一つとして、前述した制御装置のストッパー押し棒にはストッパーに対して軸方向に沿い移動できるシュートを設置してある。前述した制御装置のストッパー押し棒のシュートには斜面を設置する。前述したストッパーには凸部を設置する。制御装置のストッパー押し棒が後の所定位置に付く前に、ストッパーをラジアル方向に沿い落下させないように、前述した制御装置のストッパー押し棒の斜面は上向きにされて、そして、前述したストッパーの凸部と組み合わせる。
【００３７】
本発明の優先方案の一つとして、前述した制御装置のストッパー押し棒の末端には穴を設置する。前述した下プラグにはブロック固定溝を設置する。一つのブロックは制御装置のストッパー押し棒の穴と下プラグのブロック固定溝を繋がり、制御装置のストッパー押し棒の末端と下プラグと連動させる。下プラグが軸方向に沿い移動する時、下プラグはブロックにより、制御装置のストッパー押し棒を連動して軸方向に沿い後に移動させる。
【００３８】
本発明の優先方案の一つとして、前述した上プラグの押し棒シュートの底に軸方向に沿いブロックシュートを設置する。前述した上プラグのブロックシュートがブロックのブロック固定溝と制御装置のストッパー押し棒の穴の間に設置される。前述下ブロックは前述した上プラグのブロックシュートを貫き、制御装置のストッパー押し棒の穴と下プラグのブロック固定溝の間に嵌める。下プラグがブロックにより制御装置のストッパー押し棒を軸方法に沿い移動させる時、前述したブロックは軸方向に沿い、上プラグのブロックシュートの中に移動する。
【００３９】
本発明の優先方案の一つとして、前述した上プラグのブロックシュートには斜面シュートを設置する。前述したブロックは上プラグのブロックシュートの斜面シュートと組み合わせ、ブロックが上プラグのブロックシュートの中に軸方向に沿い移動させるとともに、ラジアル方向に沿い移動させる。下プラグは軸方向に沿い所定位置に移動する時、前述したブロックは制御装置のストッパー押し棒の穴から脱出する。
【００４０】
本発明の優先方案の一つとして、前述したブロックの底にばねを設置する。前述したブロックの両側に翼を設置する。前述した上プラグのブロックシュートの斜面シュートが下向きに設置される。前述したブロックはばねにより下プラグのブロック固定溝に取り付けられる。前述したブロックの翼は前述した上プラグのブロックシュートの斜面シュートにくっつける。
【００４１】
本発明の優先方案の一つとして、前述した外プラグと外筒の間に外施錠機構はピン機構である。該ピン機構は軸方向に沿い、外プラグと外筒の間に取り付けられて、外プラグの回転を制限する。前述した外プラグに軸方向に沿い前述したピン機構のピン穴と繋がる押し棒シュートを設置する。前述した制御装置はピン押し棒とラッチボルトを含める。前述した制御装置のピン押し棒は外プラグの押し棒シュートに取り付けられて、ピン機構のピンを制御する。制御装置のピン押し棒の末端はラッチボルトと連動する。前述したラッチボルトを外プラグの後部に据え付けられる。
【００４２】
本発明の優先方案の一つとして、前述した制御装置のラッチボルトの前端には斜面を設置する。内プラグに軸方向に沿い、突出した凸部を設置する。制御装置のラッチボルトの斜面は内プラグの凸部と組み合わせることにより、内プラグを回転する時、ラッチボルトがそれに応じて軸方向に沿い移動させられる。こうして、制御装置のピン押し棒も軸方向に沿い移動させる。
【００４３】
本発明の優先方案の一つとして、前述した第一プラグと第二プラグの位置を前後にする。前述した第一プラグは後ろプラグで、第二プラグは前プラグとなる。前述した第一施錠機構、第二施錠機構を其々後ろ施錠機構と前施錠機構のことである。前述した前施錠機構は羽仕組みである。該羽仕組みは一つのストッパーと幾つかのストッパーの底にある凸部と合わせる羽を含める。羽には少なくとも一つの正解溝と一つのわな溝を設置する。後プラグにはストッパーを制御する制御装置も取り付ける。後プラグが所定位置に付く前に、ストッパーが落下できない。鍵を鍵穴に差し込むと、鍵はまず、後施錠機構を解除して、そして、鍵で後ろプラグを押して、軸方向に沿い後の所定位置に移動させることにより、ストッパーに落下させる。ストッパーが羽の正解溝に落ちると、前施錠機構が解除される。前、後プラグは鍵により同時に回転できるようになり、開錠する。ストッパーがわな溝に落ちると、前施錠機構が解除されてないので、羽は移動できない。
【００４４】
本発明の優先方案の一つとして、前述した制御装置はストッパー押し棒と、ストッパー押し棒とストッパーの間にある組合せ構造を含める。前述した前プラグに軸方向に沿う押し棒溝を設置する。該押し棒溝は前プラグの中にあるストッパーを入れているストッパー溝と繋がる。前述したストッパー押し棒は滑られるように前プラグの押し棒溝に取り付けられて、ストッパーと組み合わせる。前述した制御装置のストッパー押し棒の末端は前述した後プラグと連動する。後施錠機構が解除されない時、制御装置のストッパー押し棒は移動できない。制御装置のストッパー押し棒は所定位置に付く前に、ストッパーは下がらない。
【００４５】
本発明の優先方案の一つとして、前述したストッパー押し棒とストッパーの間にある組合せ構造は下記のものを含める。
【００４６】
制御装置のストッパ押し棒に設置されるシュートである。前述したストッパーが滑られるように前述したストッパー押し棒のシュートに取り付けられて、制御装置のストッパー押し棒とストッパーは交差して移動させられる。
【００４７】
ストッパーに設置される凸ボスと制御装置のストッパー押し棒のシュートに設置される斜面、及び斜面に水平方向に沿い設置される金属片を含める。前述した制御装置のストッパー押し棒のシュートの斜面の底に凸ボスを設置する。前述した第一金属片の一端は前述した制御装置のストッパー押し棒のシュートの斜面の底にある凸ボスに固定される。前述した金属片のもう一端は自由に制御装置のストッパー押し棒のシュートの斜面の頂部に置く。
【００４８】
本発明の優先方案の一つとして、前述したストッパーの凸ボスの突出寸法プラス制御装置のストッパー押し棒のシュートの斜面にある凸ボスの幅寸法は制御装置のストッパー押し棒のシュートの斜面の幅寸法より小さくする。前述した金属片の幅寸法は制御装置のストッパー押し棒のシュートの斜面の幅寸法と同じである。
【００４９】
本発明の優先方案の一つとして、制御装置のストッパー押し棒は後の所定位置に付く前、ストッパー凸ボスが金属片に制限されることにより、ストッパーは下がらない。制御装置のストッパー押し棒が後の所定位置に付くと、ストッパーの凸ボスが金属片の制限から解放することにより、ストッパーは下がる。制御装置のストッパー押し棒が前に移動する時、ストッパーの凸ボスは制御装置のストッパー押し棒のシュートの斜面に沿い上に移動する。制御装置のストッパー押し棒が前の所定位置に付くと、ストッパーの凸ボスは金属片の自由端を外して、改めて金属片の頂部に戻す。
【００５０】
本発明の優先方案の一つとして、前述したストッパーの頂部にブロックを設置する。ブロックの頂部にばねを設置する。前述したばねは引っ張りしてブロックの頂部と外筒の間に取り付けられる。
【００５１】
本発明の優先方案の一つとして、前述した正解溝とわな穴の断面は矩形、或いは円形、或いは台形である。
【発明の効果】
【００５２】
前述した技術方案を採用すると、現有技術に比較すれば、本発明の有益な効果は下記のようになる。
【００５３】
本発明は二つのプラグが相互制御することを利用する。第一プラグを解除する前、第一プラグは第二のプラグの解除を制限する。第二プラグは第一プラグの回転を制限する。第一のプラグを解除した後、第一プラグが移動できるが、回転できない。第一プラグが所定位置につくと、第二プラグに対する制限を解除するが、第二プラグはまだ第一プラグの回転を制限する。第二プラグを解除した後、第一プラグと二面目プラグを同時に回転できるようになり、こうして、技術開錠あるいは不正開錠の難易度を大幅に上げて、錠前の安全性を高める。
【００５４】
第一プラグが所定位置につく時、第一プラグは第二プラグにある解除パーツの挿入口を一部閉鎖状態または完全閉鎖状態にさせる。この方法と構造は第一プラグが解除される場合に、第二プラグが解除する難易度を大幅に上げる。
【００５５】
外筒と制御装置の間に遅延タイマーも設置するため、第一プラグが位置偏差方向に沿い所定位置に移動すると、前述した制御装置は遅延タイマーを押して、遅延タイマーが圧縮されエネルギーを蓄える。第一プラグと第二プラグが同時に回転される時、遅延タイマーはエネルギーを放出できないため、制御装置を戻させない。もし、第一プラグと第二プラグが回転しないいと、遅延タイマーはの制限時間内にエネルギーを放出して、制御装置を第二施錠機構を制御する位置に戻させる。本発明は遅延制御を利用して、大幅に錠前の安全性を高める。
【００５６】
本発明は位置偏差を時差に変更させる新理念、新方法を採用する。時空転換の概念を運用するのは錠前の業界には初めてのこととなり、技術面からいえば、業界をリードしている。第一プラグが所定位置に移動すること（即ち位置偏差）。第一プラグが所定位置に付くと、第二は解除される条件を備える。第一プラグが変位する時、時間帯が生じる（即ち時差）。この時間帯を利用して、幾つかの制限条件を設置する。具体的なのは、下記のようになる。第一プラグは前に移動する時、鍵穴の扉が少しずつ閉めて、遅延タイマーがエネルギーを蓄える。第一プラグが所定位置に付いてから、第二は解除される条件を備えてきる。この時、一部閉鎖或いは完全閉鎖しているため、技術開錠の通路がない。それと共に、遅延タイマーは仕事を始め、開錠時間を遅延タイマーが設定する時間内に制限する。この時間を超えると、遅延タイマーはエネルギーを放出して、第二プラグを改めて解除されない状態に戻させる。時空転換の概念により、ロジック面から技術的な不正開錠の可能性をゼロにする。錠前の安全性を大幅に高める。
【００５７】
これから、付図と実施例に合わせて本発明をもっと詳しく説明する。でも、本発明の両プラグの相互制御、ロック解除方法及び両プラグが相互制御の錠前は実施例に限らない。
【図面の簡単な説明】
【００５８】
【図１】図１は実施例１の本発明の方法を実現する錠前の構造図である。
【図２】図２は実施例２の本発明の両プラグが相互制御の錠前の立体構造分解図である。
【図３】図３は実施例２の本発明の両プラグが相互制御の錠前の立体構造（角度を回転する）分解図である。
【図４】図４は実施例２の本発明の両プラグが相互制御の錠前の前プラグの構造図である。
【図５】図５は実施例２の本発明の両プラグが相互制御の錠前の前プラグ（角度を回転する）の構造図である。
【図６】図６は実施例２の本発明の両プラグが相互制御の錠前の制御装置と前施錠機構の組合せる構造図である。
【図７】図７は実施例２の本発明の両プラグが相互制御の錠前の制御装置と前施錠機構の組合せる（角度を回転する）構造図である。
【図８】図８は実施例２の本発明の両プラグが相互制御の錠前の遅延タイマーの構造図である。
【図９】図９は実施例２の本発明の両プラグが相互制御の錠前の鍵を差し入れる前の構造図である。
【図１０】図１０は実施例２の本発明の両プラグが相互制御の錠前の、鍵を差し入れた後、後プラグが移動しない構造図である。
【図１１】図１１は実施例２の本発明の両プラグが相互制御の錠前の、鍵を差し入れてから、後プラグが移動する過程１の構造図である。
【図１２】図１２は実施例２の本発明の両プラグが相互制御の錠前の、鍵を差し入れてから、後プラグが移動する過程２の構造図である。
【図１３】図１３は実施例２の本発明の両プラグが相互制御の錠前の、鍵を差し入れてから、後プラグが移動する過程３の構造図である。
【図１４】図１４は実施例２の本発明の両プラグが相互制御の錠前の、鍵を差し入れた後、後プラグが所定位置に付く構造図である。
【図１５】図１５は実施例２の本発明の両プラグが相互制御の錠前の、鍵を差し入れた後、後プラグが所定位置に付き、両プラグが回転しなくて、遅延タイマーが仕事を始める構造図である。
【図１６】図１６は実施例２の本発明の両プラグが相互制御の錠前の、遅延タイマーが所定位置に付いた構造図である。
【図１７】図１７は実施例２の本発明の両プラグが相互制御の錠前の、後プラグが前に移動する過程１の構造図である。
【図１８】図１８は実施例２の本発明の両プラグが相互制御の錠前の、後プラグが前に移動する過程２の構造図である。
【図１８】図１９は実施例２の本発明の両プラグが相互制御の錠前の、後プラグが前に移動する過程３の構造図である。
【図２０】図２０は実施例２の本発明の両プラグが相互制御の錠前の、後プラグが原始点に戻す時の構造図である。
【図２１】図２１は実施例３の本発明の両プラグが相互制御の錠前の、立体構造分解図である。
【図２２】図２２は実施例３の本発明の両プラグが相互制御の錠前の構造図である。
【図２３】図２３は図２２のＡ点の拡大図である。
【図２４】図２４は図２２のＢ点の拡大図である。
【図２５】図２５は図２２のＣ点の拡大図である。
【図２６】図２６は実施例３の本発明の両プラグが相互制御の錠前の鍵を差し入れる前の構造図である。
【図２７】図２７は実施例３の本発明の両プラグが相互制御の錠前の、鍵を差し入れた後、下プラグが移動しない構造図である。
【図２８】図２８は実施例３の本発明の両プラグが相互制御の錠前の、鍵を差し入れた後、下プラグが所定位置に付かない構造図である。
【図２９】図２９は実施例３の本発明の両プラグが相互制御の錠前の、鍵を差し入れた後、下プラグが所定位置に付く構造図である。
【図３０】図３０は実施例３の本発明の両プラグが相互制御の錠前の、鍵を差し入れた後、下プラグが所定位置に付き、両プラグが回転しなくて、遅延タイマーが仕事を始める構造図である。
【図３１】図３１は実施例３の本発明の両プラグが相互制御の錠前の、遅延タイマーが所定位置に付いた構造図である。
【図３２】図３２は実施例３の本発明の両プラグが相互制御の錠前の、下プラグが原始点に戻る時の構造図である。
【図３３】図３３は実施例３の本発明の両プラグが相互制御の錠前の、下プラグが原始点に戻った時の構造図である。
【図３４】図３４は実施例４の本発明の両プラグが相互制御の錠前の立体構造分解図である。
【図３５】図３５は実施例４の本発明の両プラグが相互制御の錠前の構造図である。
【図３６】図３６は図３５のＤ点の拡大図である。
【図３７】図３７は図３５のＥ−Ｅラインを切断線としての断面図である。
【図３８】図３８は実施例４の本発明の両プラグが相互制御の錠前の鍵を差し入れる前の構造図である。
【図３９】図３９は図３８のＦ−Ｆラインを切断線としての断面図である。
【図４０】図４０は実施例４の本発明の両プラグが相互制御の錠前の、鍵を差し入れた後、下プラグが移動しない構造図である。
【図４１】図４１は図４０のＧ−Ｇラインを切断線としての断面図である。
【図４２】図４２は実施例４の本発明の両プラグが相互制御の錠前の、鍵を差し入れた後、下プラグが所定位置に付かない構造図である。
【図４３】図４３は図４２のＨ−Ｈラインを切断線としての断面図である。
【図４４】図４４は実施例４の本発明の両プラグが相互制御の錠前の、鍵を差し入れた後、下プラグが所定位置に付く構造図である。
【図４５】図４５は図４４のＩ−Ｉラインを切断線としての断面図である。
【図４６】図４６は実施例４の本発明の両プラグが相互制御の錠前の、鍵を差し入れた後、下プラグが所定位置に付き、両プラグが回転しなくて、遅延タイマーが仕事を始める構造図である。
【図４７】図４７は図４６のＪ−Ｊラインを切断線としての断面図である。
【図４８】図４８は実施例４の本発明の両プラグが相互制御の錠前の、遅延タイマーが所定位置に付いた構造図である。
【図４９】図４９は図４８のＫ−Ｋラインを切断線としての断面図である。
【図５０】図５０は実施例４の本発明の両プラグが相互制御の錠前の、下プラグが原始点に戻る時の構造図である。
【図５１】図５１は図５０のＬ−Ｌラインを切断線としての断面図である。
【図５２】図５２は実施例４の本発明の両プラグが相互制御の錠前の、下プラグが原始点に戻った時の構造図である。
【図５３】図５３は図５２のＭ−Ｍラインを切断線としての断面図である。
【図５４】図５４は実施例５の本発明の両プラグが相互制御の錠前の立体構造分解図である。
【図５５】図５５は実施例５の本発明の両プラグが相互制御の錠前の別角度の立体構造分解図である。
【図５６】図５６は図５５のＳ１点の拡大図である。
【図５７】図５７は実施例５の本発明の両プラグが相互制御の錠前の、内プラグが所定位置に回転しない立体構造分解図である。
【図５８】図５８は実施例５の本発明の両プラグが相互制御の錠前の、鍵を差し入れた後、内プラグが回転しない断面図である。
【図５９】図５９は図５８のＳ２方向の正面図である。
【図６０】図６０は図５８のＳ３−Ｓ３ラインを切断線としての断面図である。
【図６１】図６１は実施例５の本発明の両プラグが相互制御の錠前の、鍵を差し入れた後、内プラグが回転しない時の、内プラグとラッチボルトの嵌め合う見取図である。
【図６２】図６２は実施例５の本発明の両プラグが相互制御の錠前の、鍵を差し入れた後、内プラグがある角度に回転して所定位置に付かない時の立体構造分解図である。
【図６３】図６３は実施例５の本発明の両プラグが相互制御の錠前の、鍵を差し入れた後、内プラグがある角度に回転して所定位置に付かない時の断面図である。
【図６４】図６４は図６３のＳ４方向の正面図である。
【図６５】図６５は図６３のＳ５−Ｓ５ラインを切断線としての断面図である。
【図６６】図６６は実施例５の本発明の両プラグが相互制御の錠前の、鍵を差し入れた後、内プラグがある角度に回転して所定位置に付かない時の、内プラグとラッチボルトの嵌め合う見取図である。
【図６７】図６７は実施例５の本発明の両プラグが相互制御の錠前の、鍵を差し入れた後、内プラグが所定位置に付いた時、外施錠機構が解除されない時の立体構造図である。
【図６８】図６８は実施例５の本発明の両プラグが相互制御の錠前の、鍵を差し入れた後、内プラグが所定位置に付いた時、外施錠機構が解除されない時の断面図である。
【図６９】図６９は図６８のＳ６方向の正面図である。
【図７０】図７０は図６８のＳ７−Ｓ７ラインを切断線としての断面図である。
【図７１】図７１は実施例５の本発明の両プラグが相互制御の錠前の、鍵を差し入れた後、内プラグが所定位置に付いた時、外施錠機構が解除されない時、内プラグとラッチボルトの嵌め合う見取図である。
【図７２】図７２は実施例５の本発明の両プラグが相互制御の錠前の、鍵を差し入れた後、内プラグが所定位置に付いた時、外施錠機構が解除された時の立体構造図である。
【図７３】図７３は実施例５の本発明の両プラグが相互制御の錠前の、鍵を差し入れた後、内プラグが所定位置に付いた時、外施錠機構が解除された時の断面図である。
【図７４】図７４は実施例６の本発明の両プラグが相互制御の錠前の立体構造分解図である。
【図７５】図７５は実施例６の本発明の両プラグが相互制御の錠前の、鍵を差し入れる前の構造図である。
【図７６】図７６は図７５のＲ１−Ｒ１ラインを切断線としての断面図である。
【図７７】図７７は図７５のＲ２−Ｒ２ラインを切断線としての断面図である。
【図７８】図７８は図７５のＲ３点の拡大図である。
【図７９】図７９は実施例６の本発明の両プラグが相互制御の錠前の、鍵を抜いた時、ストッパー、押し棒、前プラグの組み合わせる見取図である。
【図８０】図８０は実施例６の本発明の両プラグが相互制御の錠前の、鍵を差し入れた後、後プラグが前に押さない構造図である。
【図８１】図８１は図８０のＲ４−Ｒ４ラインを切断線としての断面図である。
【図８２】図８２は実施例６の本発明の両プラグが相互制御の錠前の、鍵を差し入れた後、後プラグが前に押さない時、ストッパー、押し棒、前プラグの組み合わせる見取図である。
【図８３】図８３は実施例６の本発明の両プラグが相互制御の錠前の、鍵を差し入れた後、後プラグが前に押さない時、ストッパー、押し棒、前プラグの組み合わせる見取図（角度を回転する）である。
【図８４】図８４は実施例６の本発明の両プラグが相互制御の錠前の、鍵を差し入れた後、後プラグが所定位置に付いた構造図である。
【図８５】図８５は図８４のＲ５−Ｒ５ラインを切断線としての断面図である。
【図８６】図８６は実施例６の本発明の両プラグが相互制御の錠前の、鍵を差し入れた後、後プラグが所定位置に付いた時、ストッパー、押し棒、前プラグの組み合わせる見取図である。
【図８７】図８７は実施例６の本発明の両プラグが相互制御の錠前の、鍵を差し入れた後、後プラグが所定位置に付いた時、ストッパーが落下していない瞬間の構造図である。
【図８８】図８８は図８７のＲ６−Ｒ６ラインを切断線としての断面図である。
【図８９】図８９は実施例６の本発明の両プラグが相互制御の錠前の、鍵を差し入れた後、後プラグが所定位置に付いた時、ストッパーが落下していない瞬間、ストッパー、押し棒、前プラグの組み合わせる見取図である。
【図９０】図９０は実施例６の本発明の両プラグが相互制御の錠前の、鍵を差し入れた後、後プラグが所定位置に付いた時、ストッパーが落ちた時の構造図である。
【図９１】図９１は図９０のＲ７−Ｒ７ラインを切断線としての断面図である。
【図９２】図９２は実施例６の本発明の両プラグが相互制御の錠前の、鍵を差し入れた後、後プラグが所定位置に付いた時、ストッパーが落ちた時、ストッパー、押し棒、前プラグの組み合わせる見取図である。
【図９３】図９３は実施例６の本発明の両プラグが相互制御の錠前の、鍵を抜き出す過程１の構造図である。
【図９４】図９４は図９３のＲ８−Ｒ８ラインを切断線としての断面図である。
【図９５】図９５は実施例６の本発明の両プラグが相互制御の錠前の、鍵を引き取る過程１でのストッパー、押し棒、前プラグの組み合わせる見取図である。
【図９６】図９６は実施例６の本発明の両プラグが相互制御の錠前の、鍵を引き取る過程２の構造図である。
【図９７】図９７は図９６のＲ９−Ｒ９ラインを切断線としての断面図である。
【図９８】図９８は実施例６の本発明の両プラグが相互制御の錠前の、鍵を引き取る過程２でのストッパー、押し棒、前プラグの組み合わせる見取図である。
【図９９】図９９は実施例６の本発明の両プラグが相互制御の錠前の、鍵が所定位置に戻った時の構造図である。
【図１００】図１００は図９９のＲ１０−Ｒ１０ラインを切断線としての断面図である。
【図１０１】図１０１は実施例６の本発明の両プラグが相互制御の錠前の、鍵が所定位置に戻った時、ストッパー、押し棒、前プラグの組み合わせる見取図である。
【図１０２】図１０２は実施例７の本発明の両プラグが相互制御の錠前の遅延タイマーの構造図である。
【図１０３】図１０３は実施例８の本発明の両プラグが相互制御の錠前の遅延タイマーの構造図である。
【図１０４】図１０４は実施例９の本発明の両プラグが相互制御の錠前の遅延タイマーの構造図である。
【発明を実施するための形態】
【実施例１】
【００５９】
図面１に示したように、これから、第一プラグと第二プラグは両方ともピン機構を採用する場合、もっと詳しく本発明の実施方法を説明する。
【００６０】
本発明の錠前はダブルプラグ結構で  第一プラグ１１１と第二プラグ１２１がある。第一プラグ１１１は第一ピン機構１１２により第一プラグ１１１をロックしたり解除したりする。第一プラグ１１１にある第一ピン機構１１２がロックすると、つまり、第一ピン機構１１２が第一プラグ１１１とシリンダー１１０との間にロックすると、第一プラグ１１１は回転できなくなる。第一プラグ１１１にある第一ピン機構１１２を解除する時、他のロックがない場合、第一プラグ１１１が回転できる。同様に、第二プラグ１２１は第二ピン機構１２２により第二プラグ１２１をロックしたり解除したりする。第二プラグ１２１にある第一ピン機構１１２がロックすると、つまり、一第二ピン機構１２２が第二プラグ１２１とシリンダー１１０との間にロックすると、第二プラグ１２１は回転できなくなる。第二プラグ１２１にある第二ピン機構１２２を解除する時、他のロックがない場合、第二プラグ１２１が回転できる。
【００６１】
本発明にある錠前のダブルプラグ相互制御、ロック解除方法には、下記のものを含める。
【００６２】
まずは、第一プラグ１１１を解除する。第一プラグ１１１、つまり第一ピン機構１１２を解除する前に、第一プラグ１１１は第二プラグ１２１の解除を制限している。第二プラグ１２１は第一プラグ１１１の回転を制限する。
【００６３】
まず、第一プラグ１１１を解除する。即ち、第一ピン機構１１２を解除する。この時、正しい解除パーツ、つまり正しい鍵１２０で、第一ピン機構１１２を解除しなければならない。第一プラグ１１１（即ち、第一ピン機構１１２）を解除する前に、第一プラグ１１１は第二プラグ１２１の解除を制限している。第二プラグ１２１は第二ピン機構１２２を使用するので、第二プラグ１２１の解除を制限するのは実際に第二ピン機構１２２の解除を制限することである。本実施例の中に、第一プラグ１１１の動き部品１１３は第二プラグ１２１（即ち第二ピン機構１２２）のパスワードと関連している。第一プラグ１１１の動き部品１１３により、第二ピン機構１２２を制限する。図１のように、動き部品１１３で第二ピン機構１２２にある一つのピン、又は、何個のピンを障碍することにより動けさせない。例えば、第二ピン機構１２２のもっとも内側にあるピン１２２１を障碍して、ピン１２２１に動けさせないことにより、該制御方法を実現する。こうして、第一プラグ１１１が動く前に、第二プラグ１２１（即ち第二ピン機構１２２）は正しい解除パーツ（即ち、鍵１２０での正解の解除地域）だとしても解除できない。第二プラグ１２１は第一プラグ１１１の回転を制限する。剛性部品１２３で第一プラグ１１１と第二プラグ１２１を連接することにより、第二プラグの回転動作を第一プラグの回転動作と連結せさる。剛性部品は偏心接合であり、だから、第二プラグ１２１を回転できない場合に、第一プラグ１１１も回転できなくなる。言い換えれば、第一プラグ１１１を回転できない場合に、第二プラグ１２１も回転できなくなる。第一プラグ１１１と第二プラグ１２１を同時に回転しなければならない。
【００６４】
第一プラグ１１１（即ち、第一ピン機構１１２）を解除した後、第一プラグ１１１が変位できなくなるが、回転できない。
【００６５】
第一プラグ１１１を解除した後、即ち、鍵１２０が第一ピン機構１１２とマッチングすると、他の外部の制限がなければ、第一プラグ１１１はそもそも回転できる。ただし、本発明は構造設定を通して、第一プラグ１１１が変位しかできなくて、回転ができない。もちろん、もう一つの外部制限が加えられる。つまり、第一プラグ１１１その自身に生じさせることである。実際は第一プラグ１１１とシリンダーとの構造によりこれを実現する。例えば、図１のように、キー１１４をシリンダー１１０と第一プラグ１１１の間に配置する。そして、第一プラグ１１１には軸方向に沿い、環状溝１１５と軸方向に沿う線状溝１１６を設置する。キー１１４が環状溝１１５と軸方線状溝１１６との組合せる状況により、第一プラグ１１１（即ち第一ピン機構１１２）が解除されても、回転できないことを実現する。これは第一プラグ１１１がその自身の回転を制限することも含める。第一プラグ１１１が所定位置に移動されると、（キー１１４を移動して、環状溝１１５にマッチングする時）第一プラグ１１１その自身は自身の回転に対する制限を解除する。
【００６６】
第一プラグ１１１が所定位置に付くと、第一プラグ１１１は第二プラグ１２１に解除されないとの制限を解除する。同時に、第二プラグ１２１はまだ、第一プラグ１１１の回転を制限する。
【００６７】
第一プラグ１１１が変位する時、動き部品１１３を動かすことに対して、下記のように設計する。動き部品１１３が移動する前に、動き部品１１３は第二ピン機構１２２（即ちピン１２２１）をロックして、ピン機構１２２が動けなくなる。動き部品１１３は所定位置に付くと、動き部品１１３がピン１２２１に対する障碍を移出することにより、第二プラグ１２１のピン機構１２２に対するロックを解除して、ピン機構１２２が動けるようになる。こうやって、第一プラグ１１１が所定位置に付くと、第一プラグ１１１は第二プラグ１２１（即ち二面目ピン機構１２２）が解除されることの制限を解除する。言い換えれば、第一プラグ１１１が所定位置に付くと、第一プラグ１１１の動き部品１１３は自動的に第二プラグ１２１（即ち第二ピン機構１２２）に対するロックを解除して、第二プラグ（第二ピン機構１２２）の暗号を正解の解除パーツ（鍵１２０）に解読されられるようになる。
【００６８】
これから、第二プラグ１２１（即ち第二ピン機構１２２）の暗号を解読する。第二プラグ（即ち第二ピン機構１２２）の暗号を解読された後、第一プラグ１１１と第二プラグ１２１は同時に回転できるようになり、開錠する。
【００６９】
第二プラグ１２１の暗号を解読するのは第二ピン機構１２２の暗号を解読することである。正しい解除パーツ即ち正しい鍵１２０ではないと、第二ピン機構１２２のロックを解除できない。第二プラグの第二ピン機構１２２のロックが解除された後、二つのプラグを両方とも解除される。第一プラグ１１１と第二プラグ１２１は同時に回転できるようになり、開錠する。
【００７０】
本発明の錠前の両プラグ相互制御、ロック解除方法には下記の設計を追加できる。より一歩、第一プラグ１１１が所定位置に付くと、第一プラグは第二プラグにある解除パーツの挿入口（即ち鍵穴）を一部閉鎖状態または完全閉鎖状態にさせる。
【００７１】
該当設計方案にも第一プラグの動き部品１１３を第二プラグの暗号（即ち第二ピン機構１２２）と関連させる。例えば、第二ピン機構１２２の最外側のピン１２２２を制御して、該当ピン１２２２にできるだけ低い位置に落下させることにより、挟まれて、動けなくなる。ピン１２２２の底部と鍵１２０の隙間はできるだけ小さくする。こうすると、鍵穴が一部閉鎖させることができる。第一プラグ１１１が動く前に、第一プラグ１１１はまだ第二プラグ１２１に作用を施さない、つまり、第一プラグ１１１が動かす動き部品１１３は第二プラグのピン機構のピン１２２２に作用を施さない。第一プラグ１１１が所定位置に付くと、第二プラグの暗号（即ち第二ピン機構１２２）は第一プラグ１１１の動き部品１１３の影響を受けて、第二プラグ１２１にある解除パーツの挿入口（鍵穴）を一部閉鎖させる。本実施例の中に、第二ピン機構を障碍することを通して、第二ピン機構にあるピン１２２２が鍵穴に伸ばさせることにより、鍵穴を小さくさせる。
【００７２】
前述した第二プラグ１２１にある解除パーツの挿入口（鍵穴）を一部閉鎖する時、一部閉鎖する挿入口（即ち鍵穴）に対するロックは解除状態となる。つまり、鍵穴の中に伸ばすピン１２２２は解除の位置に所在する。こうすると、鍵１２０の使用に影響を与えない。ピン１２２２の長さとピン１２０のマッチング状況によりこの方案を実現する。
【００７３】
前述した第一プラグ１１１のロック解除と第二プラグのロック解除は同一の解除パーツ（鍵１２０）の違う位置を通して実現する。本発明の方案には、同一の鍵に、つまり鍵１２０に其々第一ピン機構１１２と第二ピン機構１２２を解除する解除位置を設置する。
【００７４】
正しい解除パーツ（即ち鍵１２０）を使う時、第一プラグ１１１が所定位置に付くと、第一プラグ１１１は第二プラグ１２１が解除されることに対する制限を解除する。それとともに、解除パーツ（即ち鍵１２０）は第二プラグ１２１（即ち第二ピン機構１２２）も解除する。
【００７５】
本発明の錠前の両プラグ相互制御、ロック解除方法は二つのプラグが相互制御を利用して、技術開錠あるいは不正開錠の難易度を上げて、錠前の安全性を高める。プラグのロックはピン機構で実現するが、解除パーツは鍵を用いる。
【００７６】
合っている鍵１２０を鍵穴に差し入れない時、第一プラグのピン機構１１２と第二プラグのピン機構１２２は両方とも閉鎖状態である。この時、第一プラグのピン機構１１２は第一プラグ１１１がシリンダーに対する動作を制限する一方、第二プラグのピン機構１２２は第二プラグ１２１がシリンダーに対する動作を制限する。そして、第一プラグ１１１の動き部品１１３が第二プラグ１２１（即ち第二プラグのピン機構１２２）のロック解除と関連するが、第二プラグ１２１の回転は第一プラグ１１１の回転と関連する。こうして第一プラグ１１１は第二プラグ１２１のピン機構のロック解除を制限して、第二プラグ１２１は第一プラグ１１１の回転を制限する。
【００７７】
合う鍵１２０を鍵穴に差しいれる時、まず、第一プラグを解除する。第一プラグが解除された後、第一プラグは変位できるようになるが、回転できない。この時、合う鍵１２０で第一プラグのピン機構１１２が第一プラグ１１１に対するロックを解除することにより、第一プラグ１１１はシリンダーに対して動けるようになるが、位置を移動することだけで、回転できない。これは第二プラグ１２１の回転が第一プラグ１１１の回転と関連するからである。こうして、第二プラグ１２１はまだ第一プラグ１１１の回転を制限している。
【００７８】
第一プラグ１１１が所定位置に付くと、第一プラグ１１１は第二プラグ１２１（即ち第二プラグのピン機構１２２）が解除されることに対する制限を解除するが、第二プラグ１２１はまだ第一プラグ１１１の回転を制限する。もし合う鍵１２０を使って、第一プラグ１１１に変位させ、第一プラグ１１１が所定位置に付くと、合う鍵は同時に第二プラグ１２１（即ち第二プラグのピン機構１２２）のロックを解除する。第一プラグ１１１と第二プラグ１２１は同時に回転できるようになり、開錠する。
本実施例は前、後プラグの構造である。
上、下プラグと内、外プラグの構造にも適用する。
【実施例２】
【００７９】
２〜２０の図面を参照する。本発明の二つのプラグがある錠前はシリンダーと鍵２１を含める。前述したシリンダーは外筒２２、第一プラグ２４と第二プラグ２３を含める。第一プラグ２４と第二プラグ２３を回転できるように外筒に取り付ける。第一プラグ２４、第二プラグ２３と外筒２２との間に、其々鍵で解除できる第一施錠機構２６と第二施錠機構２５を据え付けて、第一プラグ２４と第二プラグ２３が外筒の中での回転を制限する。第一プラグ２４と第二プラグ２３は制御可能の連結である。第一プラグ２４には第二施錠機構２５を制御する制御装置２７を取り付ける。第一プラグ２４にはプレセットの位置偏差があり、第一プラグ２４が移動する前に、第二施錠機構２５を解除する条件がない。鍵２１を鍵穴に差し入れると、まず鍵は第一施錠機構２６を解除する。そして、鍵２１で第一プラグ２４をプリセットの位置偏差に沿い、第一位置から第二位置に移動させる。第一プラグ２４が所定位置に付くと、前述した制御装置２７が第二施錠機構２５に対する制御を解除することにより、鍵２１は第二施錠機構２５を解除する。第一プラグ２３、第二プラグ２４は鍵に連動され回転できるようになり、開錠する。
【００８０】
前述した第一プラグ２４と第二プラグ２３の位置を前後にする。前述した第一プラグ２４は後ろプラグで、第二プラグ２３は前プラグとなる。前述した第一施錠機構２６、第二施錠機構２５を其々後ろ施錠機構と前施錠機構のことである。回転できるように前プラグ２３、後ろプラグ２４を外筒２２に設置して、外筒２２に対する前プラグ２３と後ろプラグ２４の回転を制限するために、前プラグ、後ろプラグが外筒２２との間に、其々、鍵で解除できる前施錠機構２５と後ろ施錠機構２６を取り付ける。前プラグ２３と後ろプラグ２４は制御可能の連結である。後ろプラグ２３には前施錠機構２５を制御する制御装置２７も取り付ける。後ろプラグ２４が所定位置に移動する前に、前施錠機構２５を解除する条件がない。鍵２１を鍵穴に差し入れると、まず鍵２１は後ろ施錠機構２６を解除する。そして、鍵２１で後ろプラグ２４をプリセットの位置偏差に沿い、移動する。後ろプラグ２４が所定位置に付くと、前述した制御装置２７が前施錠機構２５に対する制御を解除することにより、鍵２１は前施錠機構を解除する。前プラグ２３、後ろプラグ２４は鍵に連動され回転すると、開錠する。
【００８１】
前述した前プラグ２３と外筒２２の間にある前施錠機構２５はピン機構である。該ピン機構がラジアル方向に沿い、前プラグと外筒の間に設置され前プラグの回転を制限する。前施錠機構２５は第一上ピン２５１、第一下ピン２５２、第一ピンばね２５３、外筒２２に配置される第一ピン穴２５４と前プラグ２３に配置される第二ピン穴２５５を含める。前施錠機構２５のピンの組み合わせ数は複数でもよい。外筒２２にある第一ピン穴２５４と前プラグ２３にある第二ピン穴２５５はマッチングできるところにある。第一上ピン２５１、第一ばね２５３と第一下ピン２５２は第一ピン穴２５４と第二ピン穴２５５の間に取り付ける。鍵が抜く時、第一下ピン２５２は同時に第一ピン穴２５４と第二ピン穴２５５の中にあるため、前プラグ２３と外筒２２が回転できない。鍵で解除すると、第一上ピン２５１が第一ピン穴２５４に残して、第一下ピン２５２が第二ピン穴２５５の中に押されることにより、前プラグ２３と外筒２２が回転できるようになる。前述した前プラグ２３には軸方向に沿う、そして前述したピン機構にあるピン穴と繋がる押し棒シュート２３１も配置する。前述した制御装置は押し棒２７１を含める。前述した押し棒２７１は前プラグの押し棒シュート２３１に配置され、ピン機構の第一下ピン２５２を制御する。押し棒２７１の一端は後ろプラグ２４と連動して、つまり、プラグ２４が移動する時、押し棒２７１も移動する。
【００８２】
前述した押し棒２７１には斜面シュート２７１１を配置してある。前述したピン機構の第一下ピン２５２には押し棒の斜面シュート２７１１と合わせられる凸部２５２１を設置する。押し棒２７１が水平方向に沿い移動すると、押し棒の斜面シュート２７１１とピンの凸部２５２１との組合せを通して、第一下ピン２５２の上下移動を制御でき、第一下ピン２５２が鍵で解除できる位置と鍵で解除できない位置に切り替えられるようになる。つまり、押し棒２７１の移動により第一下ピン２５２の上下移動を制御する。第一下ピン２５２が適当な位置に付くと、鍵は前施錠機構２５を解除できる。この時の前施錠機構２５は解除される条件を備える。第一下ピン２５２が別な位置に移動すると、鍵は前施錠機構２５を解除できなくなり、この時の前施錠機構２５は解除される条件を備えない。だから、制御装置が前施錠機構２５の解除条件を制御すると言える。
【００８３】
前述した第一下ピン２５２には対称的に二つの凸部２５２１を設置する。前述した押し棒２７１に設置してある二つの斜面シュートは其々、第一下ピン２５２の二つの凸部２５２１と組合せる。こうして、第一下ピン２５２が順調に上下移動できることを保証する。
【００８４】
より一歩、鍵穴の前部に設置してある開閉扉機構２８も含める。該当開閉扉機構２８は前述した制御装置の押し棒により、後ろプラグ２４と連動する。後ろプラグが後ろの所定位置に移動する時、該当開閉扉機構２８は鍵穴を閉める。
【００８５】
前述した開閉扉機構２８は鍵穴の前部の上側にある上扉２８１を含める。前述した上扉２８１は押し棒２７１の一端と組合せる。上扉２８１には斜面２８１１を設置する。押し棒のもう一端には斜面２７１２を設置する。上扉２８１の斜面２８１１は押し棒の斜面２７１２と合わせる。後ろプラグ２４は押し棒２７１を動かしながら後ろに移動する時、上扉２８１の斜面２８１１と押し棒の斜面２７１２の組合せにより、上扉２８１を降りさせる。上扉２８１は鍵穴の一部を遮る。後ろプラグ２４は押し棒２７１を動かしながら前に移動する時、上扉２８１の斜面２８１１と押し棒の斜面２７１２の組合せにより、上扉２８１を上げさせる。上扉２８１は鍵穴を遮らない。
【００８６】
前述した開閉扉機構２８には鍵穴の前部の下側にある下扉２８２と下扉押し棒２８３を含める。前述した下扉押し棒２８３の一端は後プラグ２４に固定する。下扉２８２には斜面２８２１を設置する。下扉押し棒２８３のもう一端には斜面２８３１を設置する。下扉２８２の斜面２８２１は下扉押し棒２８３の斜面２８３１と合わせる。後ろプラグ２４は下扉押し棒２８３を動かしながら後ろに移動する時、下扉２８２の斜面２８２１と下扉押し棒２８３の斜面２８３１の組合せにより、下扉２８２を上げさせる。下扉２８２は鍵穴の一部を遮る。後ろプラグ２４は下扉押し棒２８３を動かしながら前に移動する時、下扉２８２の斜面２８２１と下扉押し棒２８３の斜面２８３１の組合せにより、下扉２８２を降りさせる。下扉２８２は鍵穴を遮らない。
【００８７】
前述した押し棒２７１の一端には穴２７１３を設置する。前述した後ろプラグ２４にはブロック固定溝２４１を設置する。ブロック２７２は押し棒２７１の穴２７１３と後ろプラグ２４のブロック固定溝２４１の間に挿入して、押し棒の一端を後ろプラグ２４と連動させる。後ろプラグ２４が軸に沿い移動する時、後ろプラグ２４はブロック２７２により、押し棒２７１を動かして軸方向に沿い、移動する。
【００８８】
前述した前プラグ２３の末端には凸部２３２を設置する。該前プラグ２３の凸部２３２は後ろプラグのブロック固定溝２４１と押し棒２７１の穴２７１３の間にある。前プラグ２３の凸部２３２にはブロックシュート２３２１を設置する。前述したブロック２７２は前述した前プラグ２３の凸部２３２のブロックシュート２３２１を貫き、押し棒２７１の穴２７１３と後ろプラグのブロック固定溝２４１の間に嵌める。後ろプラグ２４はブロック２７２により、押し棒２７１を動かしながら軸方向に沿い、移動する時、前述したブロック２７２は軸方向に向け、ブロックシュート２３２１の中に移動する。
【００８９】
前述した前プラグ２３のブロックシュート２３２１には斜面シュート２３２２を設置する。前述したブロック２７２は前プラグ２３のブロックシュートにある斜面シュート２３２２と合わせて、ブロック２７２をブロックシュート２３２１の中に軸に沿い移動しながらラジアル方向向け移動させる。後ろプラグ２４が軸に沿い後ろの所定位置に移動すると、前述したブロック２７２は押し棒の穴２７１３から脱出する。
【００９０】
前述したブロック２７２の底部にばね２７３を設置する。前述したブロック２７２の両側に羽２７２１を設置する。前述したブロックシュートの斜面シュート２３２２は下向けに設置される。ブロック２７２は前述したばね２７３により後ろプラグ２４にあるブロック固定溝２４１の中に設置される。前述したブロックの羽２７２１は前述したブロックシュートの斜面シュート２３２２にくっつける。
【００９１】
より一歩、遅延タイマーも含める。該当遅延タイマーは水圧式遅延タイマー２９である。該水圧式遅延タイマー２９は外筒２２と押し棒２７１の一端との間に設置される。プラグ２４が後ろにある所定位置に移動すると、押し棒２７１、は遅延タイマー２９を押して、延タイマーが圧縮されエネルギーを蓄える。後ろプラグ２３と前プラグ２４が同時に回転する時、遅延タイマー２９はエネルギーを放出できなく、押し棒２７１を元の位置に戻させられない。前後プラグは回転しない場合に、遅延タイマーは設定された時間内にエネルギーを放出して押し棒２７１を前施錠機構を制御する位置に戻させる。
後ろプラグ２４が原始の位置に復帰する時、すべての部品は原始状態に戻る。
【００９２】
前述した水圧式遅延タイマー２９は本体２９１、ピストン２９２、内管２９３、スプリング２９４、軸芯２９５を含める。前述した内管２９３が本体２９１の中に固定される一方、内管２９３と本体２９１との間に油室を設置する。前述したピストン２９２はスプリング２９４のスライドにより内管２９３の中に取り付けられる。ピストン２９２と内管２９３との間に内管内部と前述した油室を繋げる減衰穴を設置する。前述した軸心２９５の一端はピストン２９２と結び、軸心２９５のもう一端は前述した押し棒２７１の一端と組合せる。油が速やかに内管内部から油室に流動できるために、前述した内管２９３にはチェック‐バルブも設置する、
【００９３】
該水圧式遅延タイマー２９の逆止弁とも称するチェック‐バルブは作動油が内管から排出の大流量の単方向通路である。減衰穴は作動油が内管を経由して両方向流通の調整可能の極狭い通路である。軸心２９５は外部の力を受ける時、ピストン２９２を動かして、スプリング２９４を押し付けて、内管２９３の作動油が逆止弁から減衰穴を経由して排出する。外部の力を消すと、圧縮されたスプリング２９４は元の位置に復帰してピストン２９２を押し付ける。ピストン２９２は移動して作動油を圧縮し始める。作動油が圧縮されてから、減衰穴を経由して内管２９３に入る。（減衰穴の寸法は調整可能なので、ピストンの移動スピートを制御できて、遅延作用を果たす。）スプリング２９４はピストン２９２を原始点に押し戻して次の動作を待つ。この原理により、遅延タイマーは変位した部品を遅延復帰させる。
【００９４】
本実施例の中で、前述した後ろプラグ２４と外筒２２の間の後ろ施錠機構はピン機構である。該ピン機構はラジアル方向に沿い、後ろプラグと外筒の間に取り付けられて、後ろプラグの回転とラジアル方向に沿う移動を制限する。もちろん、後ろプラグ２４と外筒２２の間の後ろ施錠機構は羽目機構にしてもよい。
これから、もっと詳しく本発明の開錠方法を説明する。
【００９５】
図９〜図２０に示したように、鍵を抜いた時、前プラグ２３の前施錠機構２５は前プラグ２３の外筒２２での回転を制限する。後ろプラグ２４の後ろ施錠機構２６は後ろプラグ２４の外筒２２での回転を制限する。そして、前プラグは後ろプラグの回転を制御する（これは前プラグと後ろプラグの間に押し棒２７１と下扉押し棒２８３があるからだ）。後ろプラグ２４は制御装置２７により前プラグ２３の解除条件を制御する。この時、上扉２８１、下扉２８２は開ける状態にある。
【００９６】
合う鍵を鍵穴に差し入れて後ろプラグの解除位置に付くと、後ろプラグの後ろ施錠機構がピン機構であろうと、羽目機構であろうと、合う鍵は後ろ施錠機構２６を解除できる。後ろ施錠機構２６のロックを解除した後、後ろプラグ２４は外筒２２で移動できる。
【００９７】
後ろプラグ２４が後ろに移動する前、制御装置に制御されるため、前プラグ２３は解除条件を備えない。
【００９８】
後ろプラグ２４は後ろに移行する時、押し棒２７１を動かしながら後ろに移動させる。押し棒２７１が後ろに移動することはピン２５２を少しずつ下げさせる。後ろプラグ２４が後ろに移行する時、ブロック２７２も少しずつ沈下する。
【００９９】
後ろプラグ２４が後ろにある所定位置に付くと、第一下ピン２５２も所定位置に下がり、第一下ピン２５２は鍵でロック解除できない位置から鍵でロック解除できる位置に切り替える。この時、前プラグ２３は解除条件を備える。この時のブロック２７２も完全に押し棒２７１の穴２７１３から脱出する。
【０１００】
合う鍵が前施錠機構２５を解除させるので、この時、前プラグ２３、後ろプラグ２４は同時に回転でき、開錠する。鍵を抜くと、後ろプラグ２４は元の位置に復帰するので、すべての部品は原始状態に復帰する。
【０１０１】
もし、制限時間内（遅延タイマー２９に対して、時間を設定できる）に、もし前プラグ２３と後ろプラグ２４が同時に回転しないと、遅延タイマー２９は仕事を始め、遅延タイマー２９のスプリングがリセットする。遅延タイマー２９は軸心２９５により押し棒２７１を前に移動させる。押し棒２７１が前に移動する時、第一下ピン２５２を連動して上げさせる。これは第一下ピン２５２を鍵でロック解除できる位置から鍵でロック解除できない位置に移動させる。制御装置は改めて前施錠機構２５を制御する。
【実施例３】
【０１０２】
図２１〜図３３に示したように、本発明は二つのプラグが相互制御する錠前を提供する。該当錠前はシリンダーと鍵３１０を含める。前述したシリンダーは外筒３１とプラグを含める。前述したプラグを回転できるように外筒３１に取り付ける。前述したプラグは上プラグ３２１（即ち第二プラグ）と下プラグ３２２（即ち第一プラグ）に分けられる。そして、前述した下プラグ３２２は外筒３１の中で、軸に沿い移動できる。前述した上プラグ３２１と外筒３１の間に上施錠機構（即ち第一施錠機構）を据え付ける。前述した鍵３１０には上キーウェイと下キーウェイを配置して、其々、上、下施錠機構を解除する。前述した下プラグ３２２は上施錠機構３３を制御する制御装置も設置する。下プラグ３２２は軸に沿い所定位置に付く前に、上施錠機構３３は解除条件を備えない。鍵３１０を鍵穴に差し入れると、鍵３１０の下キーウェイはまず下施錠機構３４を解除して、それから、鍵３１０で下プラグ３２２を押して、軸に沿い後ろの所定位置に移動させる。この時、前述した制御装置は上施錠機構３３に対する制御を解除して、鍵３１０の上キーウェイが上施錠機構３３を解除できるようになる。上プラグ３２１、下プラグ３２２は鍵３１０の連動により、同時に回転して、開錠する。
【０１０３】
前述した上プラグ３２１と外筒３１の間にある上施錠機構３３はピン機構である。該ピン機構はラジアル方向に沿い、上プラグ３２１と外筒３１の間に据え付けられ、上プラグ３２１の回転を制限する。前述した上プラグ３２１には軸方向に沿う、そして前述したピン機構にあるピン穴と繋がる押し棒シュート３２１１も配置する。前述した制御装置は押し棒３５を含める。前述した押し棒３５は上プラグの押し棒シュート３２１１に配置され、ピン機構のピン３３１を制御する。押し棒３５の末端は下プラグ３２２と連動する。
【０１０４】
前述した押し棒３５には斜面シュート３５１を配置してある。前述したピン機構のピン３３１には押し棒の斜面シュート３５１と合わせられる凸部３３１１を設置する。押し棒２７１が軸方向に沿い移動すると、押し棒の斜面シュート３５１とピンの凸部３３１１との組合せを通して、ピン３３１の上下移動を制御でき、ピン３３１が鍵で解除できない位置と鍵で解除できる位置に切り替えられるようになる。
【０１０５】
本発明の上施錠機構３３のピン機構は殆ど、現有技術に通用している組み合わせを採用する。異なるのはピン３３１に凸部３３１１を設置することである。そして、ピン穴も凸部３３１１の移動と合わせられる構造で設置しなければならない。
【０１０６】
前述したピン３３１には対称的に二つの凸部３３１１を設置する。前述した押し棒３５に設置してある二つの斜面シュートは其々、ピン３３１の二つの凸部３３１１と組合せる。
【０１０７】
前述した押し棒３５の末端には穴３５２を設置する。前述した下プラグ３２２にはブロック固定溝３２２１を設置する。ブロック３５３は押し棒の穴３５２と下プラグのブロック固定溝３２２１の間に連接して、押し棒３５の末端を下プラグ３２２と連動させる。下プラグ３２２が軸に沿い移動する時、下プラグ３２２はブロック３５３の連動により、押し棒２７１を動かして軸方向に沿い、移動させる。
【０１０８】
前述した上プラグ３２１の押し棒シュート３２１１の底には軸方向にそうブロックシュート３２１２も設置する。前述したブロックシュート３２１２は下プラグのブロック固定溝３２２１と押し棒の穴３５２の間にある。前述したブロック３５３は上プラグのブロックシュートを貫き、押し棒の穴３５２と下プラグのブロック固定溝３２２１の間に嵌める。下プラグ３２２はブロック３５３により押し棒３５を動かしながら軸方向に沿い移動させる時、前述したブロック３５３は軸方向に沿いブロックシュート３２１２の中に移動する。
【０１０９】
前述したブロックシュート３２１２には斜面シュート３２１３がある。前述したブロック３５３はブロックシュート３２１２の斜面シュート３２１３と組合せ、ブロック３５３がブロックシュート３２１２の中に軸方向に沿い移動させる。下プラグ３２２が軸方向に沿い後ろの所定位置に移動すると、前述したブロック３５３は押し棒の穴３５２から脱出する。
【０１１０】
前述したブロック３５３の末端にはばね３５４を設置する。前述したブロック３５３の両側には翼を設置する。前述したブロックシュートの斜面シュート３２１３は下向け設置される。前述したブロック３５３は前述したばね３５４により、下プラグのブロック固定溝３２２１に設置される。前述したブロック３５３の翼は前述したブロックシュートの斜面シュート３２１３にくっつけられる。
【０１１１】
前述した両プラグ相互制御の錠前は鍵穴の前部に設置する開閉扉機構も含める。該開閉扉機構は前述した下プラグ３２２と連動する。下プラグ３２２が軸方向に沿い後ろの所定位置に移動すると、該開閉扉機構は鍵穴を閉めさせる。
【０１１２】
前述した開閉扉機構は鍵穴の前部の上側と下側に設置してある上扉３６１、下扉３６２を含める。前述した上扉３６１、下扉３６２は其々、上扉押し棒３６３、下扉押し棒３６４の前端と組合せる。前述した上扉押し棒３６３、下扉押し棒３６４の末端は其々、下プラグ３２２に固定する。
【０１１３】
前述した上扉３６１には斜面３６１１を設置する。上扉押し棒３６３の前端には斜面３６３１を設置する。上扉の斜面３６１１は上扉押し棒３６３の斜面３６３１と合わせる。前述した下扉３６２には斜面３６２１を設置する。下扉押し棒３６４の前端には斜面３６４１を設置する。下扉の斜面３６２１と下扉押し棒の斜面３６４１と合わせる。
下プラグ３２２が原始点に復帰すると、すべての部品は原始状態に復帰する。
【０１１４】
前述した両プラグが相互制御の錠前は遅延タイマー３７も含める。該遅延タイマー３７は外筒３１と押し棒３５の末端の間に取り付けられる。下プラグ３２２が後ろの所定位置に付くと、押し棒３５は遅延タイマー３７を押し付け、遅延タイマーが圧縮され、エネルギーを蓄える。上プラグ３２１、下プラグ３２２が回転されると、遅延タイマー３７はエネルギーを放出できなくなり、押し棒３５を元の位置に戻させることができない。上プラグ３２１、下プラグ３２２が回転されないと、遅延タイマー３７は所定の時間内にエネルギーを放出して、押し棒３５を上施錠機構３３を制御する位置に戻させる、即ち、改めてピン３３１を挟まる。
遅延タイマー３７は実施例２と同様な構造を使っても良い。
【０１１５】
前述した下プラグ３２２と外筒３１の間にある下施錠機構３４はピン機構３４１である。該ピン機構３４１はラジアル方向に沿い下プラグ３２２と外筒３１の間に設置され、下プラグ３２２の回転と軸方向に沿う移動を制限する。
ピン機構３４１は現有通常のピン組み合わせと構造を使っても良い。
これから、もっと詳しく本発明の両プラグが相互制御の錠前の開錠方法を説明する。
【０１１６】
図２６〜図３３に示したように、鍵を抜いた時、上プラグ３２１の上施錠機構３３は上プラグ３２１が外筒３１の中での回転を制限する。下プラグ３２２の下施錠機構３４は下プラグ３２２が外筒３１の中での回転と軸方向にそう移動を制限する。そして、上プラグ３２１は下プラグ３２２の回転を制御する。下プラグ３２２は制御装置により、上プラグ３２１の解除条件を制御する。この時の上扉３６１、下扉３６２は開けた状態にある。
【０１１７】
合う鍵は鍵穴に差し込まれて、下プラグ３２２の下施錠機構３４にマッチングする時、即ち鍵３１０の下キーウェイがピン機構３４１と合わせると、下施錠機構３４が解除される。下施錠機構３４を解除した後、理論から言えば、下プラグ３２２は外筒３１の中で回転または軸方向に沿い移動できる。ただし、上プラグ３２１の制限により、下プラグ３２２は軸方向に沿い移動できるが、回転できない。鍵３１０は下プラグ３２２を押して軸方向に沿い後ろに移動させることができる。
【０１１８】
下プラグ３２２は後ろに移動する前、制御装置の制御により、上プラグ３２１は解除条件を備えない。
【０１１９】
下プラグ３２２が後ろに移動すると、押し棒３５を連動して、後ろに移動させる。押し棒３５後ろに移動することにより、ピン３３１は少しずつ下げる。下プラグ３２２は後ろに移動するとともに、ブロック３５３も少しずつ沈下する。
【０１２０】
下プラグ３２２は後ろの所定位置に付くと、ピン３３１も所定位置に降りる。ピン３３１は鍵で解除できない位置から鍵で解除できる位置に切り替える。この時、上プラグ３２１は解除条件を備える。この時のブロック３５３も完全に押し棒３５の穴３５２から脱出する。下プラグ３２２が後ろに移動する時、上扉押し棒３６３と下扉押し棒３６４を連動して後ろに移動させる。斜面の組合せにより、上扉３６１、下扉３６２は段々閉じる。下プラグ３２２が後ろの所定位置に付くと、遅延タイマー３７は圧縮され、エネルギーを貯蔵する状態になる。
【０１２１】
合う鍵は上施錠機構３３を解除させる。この時、上プラグ３２１、下プラグ３２２は同時に回転できるようになり、開錠する。鍵を抜きだすと、下プラグ３２２は原始点に戻して、すべての部品は原始状態に復帰する。
【０１２２】
もし、所定時間内（遅延タイマー３７に対して、時間を設定できる）に、もし上プラグ３２１と下プラグ３２２が同時に回転しないと、遅延タイマー３７は仕事を始め、遅延タイマー３７をリセットする。遅延タイマー３７は押し棒３５を前に移動させる。押し棒３５が前に移動する時、ピン３３１を連動して上げさせる。これはピン３３１を鍵でロック解除できる位置から鍵でロック解除できない位置に移動させる。制御装置は改めて上施錠機構３３を制御する。
【実施例４】
【０１２３】
図３４〜図５３に示したように、本発明の両プラグが相互制御の錠前は実施例３と異なり、上プラグ３２１と外筒３１の間にある上施錠機構３３が違うから、それに対する制御装置とほかの部品との接合部も違う。
【０１２４】
本実施例には、前述した上プラグ３２１と外筒３１の間にある上施錠機構３３は羽仕組みである。前述した羽仕組みはラジアル方向に沿い、上プラグ３２１と外筒３１の間にある上プラグの回転を制限するストッパー３３２及び、上プラグの中に取付られる、前述したストッパー３３２と連動できる羽組み合わせ３３３を含める。羽組み合わせ３３３は上プラグ３２１の中に取り付けられる。ストッパー３３２はブロックとばねにより上プラグ３２１と外筒３１の間に取付られる。前述した上プラグ３２１には軸方向に沿い、前述したストッパと繋がる押し棒シュート３２１４を設置してある。前述した制御装置はストッパー押し棒３８を含める。前述したストッパー押し棒３８は上プラグの押し棒シュート３２１４に据え付けられ、羽仕組みのストッパー３３２を制御する。ストッパー押し棒３８の末端は下プラグ３２２と連動する。
【０１２５】
前述したストッパー押し棒３８にはストッパーの軸方向にそい移動できるシュート３８１を設置してある。前述したストッパー押し棒のシュート３８１の中に斜面３８１１がある。前述したストッパー３３２には凸部３３２１を設置する。前述したストッパー押し棒の斜面３８１１は上向きにして、前述したストッパーの凸部３３２１と組合せて、ストッパー押し棒３８が後ろの所定位置に移動しない時に、ストッパー３３２がラジアル方向に沿い沈下すること制限する。
【０１２６】
前述したストッパー３３２に対照的に二つの凸部３３２１を設置する。前述したストッパー押し棒のシュート３８１に二つ斜面３８１１を設置して、其々、ストッパーの二つ凸部３３２１に合わせる。
【０１２７】
前述したストッパー押し棒３８の末端には穴３８２を設置する。前述した下プラグ３２２にはブロック固定溝３２２２を設置する。一つのブロック３８３はストッパー押し棒の穴３８２と下プラグのブロック固定溝３２２２を連接して、ストッパー押し棒３８の末端を下プラグ３２２と連動させる。下プラグ３２２が軸方向に沿い移動する時、下プラグ３２２はブロック３８３により、ストッパー押し棒３８を動かしながら軸方向に沿い移動させる。
【０１２８】
前述した上プラグの押し棒シュート３２１４の底に軸方向に沿うブロックシュート３２１５を設置する。前述したブロックシュート３２１５は下プラグのブロック固定溝３２２２とストッパー押し棒の穴３８２の間に据え付けられる。前述したブロック３８３は前述した上プラグのブロックシュート３２１５を貫き、ストッパー押し棒の穴３８２下プラグのブロック固定溝３２２２の間に嵌め合う。下プラグ３２２がブロック３８３により、ストッパー押し棒３８を連動して、軸方向に沿い移動させる時、前述したブロック３８３は軸方向に沿い、ブロックシュート３２１５の中に移動する。
【０１２９】
前述したブロックシュート３２１５には斜面シュート３２１６がある。前述したブロック３８２はブロックシュートの斜面シュート３２１６と組合せて、ブロック３８３がブロックシュート３２１５の中に軸方向に沿い移動する同時にラジアル方向に沿い移動させる。下プラグ３２２が軸方向に沿い後ろの所定位置に移動すると、前述したブロック３８３はストッパー押し３８の穴３８２から脱出する。
【０１３０】
前述したブロック３８２の底にばね３８４を取り付けてある。前述したブロック３８３の両側に翼を設置する。前述したブロックシュートの斜面シュート３２１６は下向きに設置する。前述したブロック３８３はばね３８４により、下プラグのブロック固定溝３２２２の中に取り付けられる。前述したブロック３８３の翼は前述したブロックシュートの斜面シュート３２１６の中にくっつける。
これから、もっと詳しく本発明の開錠方法を説明する。
【０１３１】
図３８〜図５３に示したように、鍵を抜いた時、上プラグ３２１の上施錠機構３３は上プラグ３２１が外筒３１の中での回転を制限する。下プラグ３２２の下施錠機構３４は下プラグ３２２が外筒３１の中での回転と軸方向に沿う移動を制限する。上プラグ３２１は下プラグ３２２の回転を制御する。下プラグ３２２は制御装置により、上プラグ３２１の解除条件を制御する。この時の上扉３６１、下扉３６２は開ける状態にある。
【０１３２】
合う鍵を鍵穴に差し入れて、下プラグ３２２の下施錠機構３４とマッチングすると、即ち、鍵３１０の下キーウェイがピン機構３４１とぴったり合わせる時、下施錠機構３４が解除される。下施錠機構３４を解除した後、理論から言えば、下プラグ３２２は外筒３１の中で回転または軸方向に沿い移動できる。ただし、上プラグ３２１の制限により、下プラグ３２２は軸方向にそい移動できるが、回転できない。鍵３１０は下プラグ３２２を押して軸方向に沿い後ろに移動させる。
【０１３３】
下プラグ３２２は後ろに移動する前、制御装置の制御により、上プラグ３２１が解除条件を備えない。
【０１３４】
下プラグ３２２が後ろに移動する時、ストッパー押し棒３８を動かしながら後ろに移動させる。ストッパー押し棒３８が後ろに移動することにより、少しずつストッパー３３２の凸部３３２１に対する挟みを解除する。下プラグ３２２が後ろに移動する時、ブロック３８３も少しずつ降りる。
【０１３５】
下プラグ３２２が後ろの所定位置に付くと、ストッパー押し棒３８の斜面３８１１はストッパー３３２の凸部３３２１に対する挟みを解除する。この時、上プラグ３２１は解除条件を備える。ブロック３８３も完全にストッパー押し棒３８の穴３８２から脱出する。下プラグ３２２が後ろに移動する時、上扉押し棒３６３と下扉押し棒３６４を動かして後ろに移動させる。斜面との組合せにより、上扉３６１、下扉３６２は段々閉まる。下プラグ３２２が後ろの所定位置に付くと、遅延タイマー３７は圧縮され、エネルギーを蓄える状態になる。
【０１３６】
合う鍵により上施錠機構３３が解除される。この時、上プラグ３２１、下プラグ３２２は同時に回転できるようになる、開錠する。鍵を抜き出した時、下プラグ３２２は原始点に戻して、すべての部品が原始状態に復帰する。
【０１３７】
もし、所定時間内（遅延タイマー３７に対して、時間を設定できる）に、もし上プラグ３２１と下プラグ３２２が同時に回転しないと、遅延タイマー３７は仕事を始め、遅延タイマー３７をリセットする。遅延タイマー３７はストッパー押し棒３８を前に移動させる。ストッパー押し棒３８が前に移動した後、ストッパー押し棒３８の斜面３８１１は改めてストッパー３３２の凸部３３２１を挟み、制御装置が改めて上施錠機構３３を制御する。
【実施例５】
【０１３８】
図５４〜図７３に示したように、本発明は二つのプラグが相互制御する錠前を提供する。該当錠前はシリンダーと鍵５９  を含める。前述したシリンダーは外筒５１、内プラグ５２（即ち第一プラグ）、外プラグ５３（即ち第二プラグ）を含める。外プラグ５３を回転できるように外筒３１に取り付ける。外プラグ５３と外筒５１の間に鍵５９で解除できる外施錠機構５５（即ち第二施錠機構）を取り付けて、外筒５１での回転を制限する。内プラグ５２を回転できるように外プラグ５３に取り付ける。内プラグ５２と外プラグ５３の間に鍵５９で解除できる内施錠機構５４（即ち第一施錠機構）を取り付けて、外プラグ５３での回転を制限する。内、外プラグは制御可能の連結である。内プラグ５２には外施錠機構５５を制御する制御装置５６を取り付ける。プラグ５２が所定位置に回転されない時、外施錠機構５５を解除する条件がない。鍵５９を鍵穴に差し入れると、まず鍵５９は内施錠機構５４を解除する。そして、鍵５９で内プラグ５２を所定位置に回転する。この時、前述した制御装置５６が外施錠機構５５に対する制御を解除することにより、鍵５９は外施錠機構５５を解除する。内、外プラグは鍵５９に連動されて同時に回転できるようになり、開錠する。
【０１３９】
前述した外プラグ５３と外筒５１の間にある外施錠機構５５は第一ピン機構５５１のことである。該第一ピン機構５５１はラジアル方向に沿い、外プラグ５３と外筒５１の間に取り付けられ、外プラグ５３の回転を制限する。外施錠機構５５は第一上ピン５５１１、第一下ピン５５１２、第一ばね５５１３、外筒５１に設置される第一ピン穴５１３と外プラグ５３に設置される第二ピン穴５３２を含める。外施錠機構５５のピン組み合わせ数は複数でもよい。外筒５１に設置される第一ピン穴５１３と外プラグ５３に設置される第二ピン穴５３２は合わせられる位置にある。第一上ピン５５１１と第一下ピン５５１２は第一ばね５５１３により、第一ピン穴５１３と第二ピン穴５３２の間に据え付けられる。外プラグ５３が解除されない時、第一下ピン５５１２は同時に第一ピン穴５１３と第二ピン穴５３２の中にあるため、外プラグ５３は外筒５１の中で回転できない。外プラグ５３が解除する時、第一下ピン５５１２は第二ピン穴５３２の中に押されるから、外プラグ５３は外筒５１の中で回転できるようになる。前述した５３には軸方向に沿い、前述した第一ピン機構５５１のピン穴を貫く押し棒シュート５３１も設置する。前述した制御装置５６は押し棒５６１とラッチボルト５６２を含める。前述した押し棒５６１は外プラグ５３の押し棒シュート５３１に据え付けられ、第一ピン機構５５１の第一下ピン５５１２を制御する。前述したラッチボルト５６２は外プラグ５３の後部に据え付けられ、押し棒５６１の末端がラッチボルト５６２と連動する。つまり、ラッチボルト５６２が移動する時、押し棒５６１を動かして移動させる。
【０１４０】
前述した制御装置５６のラッチボルト５６２の前端面には斜面５６２２を設置する。内プラグ５２に軸方向に沿い突出した凸部５２１を設置する。ラッチボルト５６２に設置される斜面５６２２が内プラグ５２にある凸部５２１と組合せることにより、内プラグ５２を回転すると時、ラッチボルト５６２はそれに応じて軸方向に沿い移動することができる。それとともに、押し棒５６１が連動されて軸方向に沿い移動する。
【０１４１】
前述した押し棒５６１に斜面シュート５６１１を設置する。前述した第一ピン機構５５１の第一下ピン５５１２に押し棒５６１の斜面シュート５６１１と合わせられる凸部５５１２１を設置する。押し棒５６１は軸方向に沿い移動する時、押し棒５６１の斜面シュート５６１１が第一下ピン５５１２の凸部５５１２１との組合せにより、ピンを上下移動することを制御できる。第一下ピン５５１２がある位置に付くと、鍵５９は外施錠機構５５を解除できる。この時、外施錠機構５５は解除される条件を備える。第一下ピン５５１２が別の位置に付くと、鍵５９は外施錠機構５５を解除できなくなる。この時、外施錠機構５５は解除される条件を備えない。だから、制御装置５６は外施錠機構５５の解除条件を制御すると言える。
【０１４２】
前述した第一下ピン５５１２には対称的に二つの凸部５５１２１を設置する。前述した押し棒５６１に二つの斜面シュート５６１１を設置して、其々、第一下ピン５５１２の二つの凸部５５１２１と合わせる。こうして、第一下ピン５５１２が順調に上下移動できることを保証する。
【０１４３】
より一歩、外プラグ５３にある鍵穴の前部に設置される開閉扉機構５７も含める。該開閉扉機構５７は上扉５７１と下扉５７２を分ける。内プラグ５２を所定位置に回転すると、該開閉扉機構５７は鍵穴を閉めさせる。
【０１４４】
前述した開閉扉機構５７の上扉５７１はラジアル方向に沿い滑り、前述した内プラグ５２と合わせる。上扉５７１に第一凸軸５７１１を設置する。外プラグ５３には第一誘導溝５３３を設置する。上扉５７１の第一凸軸５７１１が外プラグ５３の第一誘導溝５３３と組合せ、内プラグ５２を回転する時、上扉５７１はラジアル方向に沿い移動する。それと共に、開閉扉機構５７の下扉５７２はラジアル方向に沿い滑り、前述した内プラグ５２と合わせる。下扉５７２に第二凸軸５７２１を設置する。外プラグ５３に第二誘導溝５３４を設置する。下扉５７２の第二凸軸５７２１が外プラグ５３の第二誘導溝５３４と組合せ、内プラグ５２を回転する時、下扉５７２はラジアル方向に沿い移動する。内プラグ５２は開閉扉機構５７を連動して時計回りで、ある角度に回転する時、上扉５７１の第一凸軸５７１１が外プラグ５３の第一誘導溝５３３との組合せにより、上扉５７１を降りさせて、上扉５７１は鍵穴の一部を遮る。逆に、内プラグ５２が開閉扉機構５７を連動して反時計回りで、ある角度に回転する時、上扉５７１を上げさせ、上扉５７１は鍵穴を遮らない。
【０１４５】
前述した内プラグ５２は開閉扉機構５７を連動して時計回りで、ある角度に回転する時、下扉５７２の第二凸軸５７２１が外プラグ５３の第二誘導溝５３４との組合せにより、下扉５７２を上げさせて、下扉５７２は鍵穴の一部を遮る。逆に、内プラグ５２が開閉扉機構５７を連動して反時計回りで、ある角度に回転する時、下扉５７２を降りさせ、下扉５７２は鍵穴を遮らない。上扉と下扉は同時に動き、鍵穴を閉めたり、開けたりする。
【０１４６】
前述した押し棒５６１の一端には穴５６１２を設置する。前述したラッチボルト５６２にブロック固定溝５６２１を設置する。ブロック５６３は押し棒５６１の穴５６１２とラッチボルト５６２のブロック固定溝５６２１を連接して、押し棒５６１の一端をラッチボルト５６２と連動させる。ラッチボルト５６２が軸方向に沿い移動する時、ラッチボルト５６２は押し棒５６１を連動して軸方向に沿い移動させる。
【０１４７】
前述した外筒５１の末端に斜面シュート５１４も設置する。前述したブロック５６３と外筒５１の斜面シュート５１４と組合せて、ブロックはラッチボルト５６２と共に軸方向に沿い移動しながらラジアル方向に沿い移動させる。ラッチボルト５６２が軸方向に沿い後ろの所定位置に移動する時、前述したブロックは押し棒５６１の穴５６１２から脱出する。
【０１４８】
前述したブロック５６３の底にばね５６３２を設置する。ブロックの両側に翼５６３１を設置する。前述した外筒５１の斜面シュート５１４は下向きに設置される。前述したブロックは前述したばね５６３２によりラッチボルト５６２のブロック固定溝５６１の中に取り付けられる。前述したブロックの頭は前述した外筒５１の斜面シュート５１４にくっつける。
【０１４９】
より一歩、遅延タイマー５８も含める。該遅延タイマー３７は外筒５１と押し棒５６１の一端の間に取り付けられる。下プラグ５２が所定位置に回転する時、ラッチボルト５６２を後ろに移動させて、押し棒３５は遅延タイマー３７を押して、遅延タイマーが圧縮され、エネルギーを蓄える。外プラグ５３が回転されると、遅延タイマー５８はエネルギーを放出できなくなり、押し棒５６１を元の位置に戻させることができない。外プラグ５３が回転されないと、遅延タイマー５８は所定の時間内にエネルギーを放出して、押し棒５６１を外施錠機構５５を制御する位置に戻させる。
内プラグ５２が原始点に復帰すると、すべての部品は原始状態に復帰する。
前述した遅延タイマー５８は実施例２の構造を使う。
【０１５０】
前述した内プラグ５２と外プラグ５３の間にある内施錠機構５４は第二ピン機構５４１のことである。第二ピン機構５４１はラジアル方向に沿い、内プラグ５２と外プラグ５３の間に取り付けられ、内プラグ５２の回転を制限する。内プラグ５２と外プラグ５３の間にある内施錠機構５４は現有技術の中によく採用される機構であるため、ここにはこれ以上説明しない。
これから、より一歩、本発明の開錠方法を説明する。
【０１５１】
図５７〜図７３に示したように、鍵を抜いた時、外プラグ５３の外施錠機構５５は外プラグ５３が外筒５１の中での回転を制限する。内プラグ５２の内施錠機構５４は内プラグ５２が外プラグ５３の中での回転を制限する。そして、外プラグ５３だけラッチボルト５６２を連動して回転させ、開錠することができる。内プラグ５２は制御装置５６により、外プラグ５３の解除条件を制御する。鍵５９を抜いた時、上扉５７１、下扉５７２は開ける状態にある。
【０１５２】
合う鍵５９を鍵穴に差し入れ、内プラグ５２と合わせる時、内施錠機構５４がどんな機構であっても、合う鍵５９は内施錠機構５４を解除できる。内施錠機構５４が解除された後、内プラグ５２は外プラグ５３の中で回転できるようになり、ラッチボルト５６２を連動して、軸方向に沿い移動させる。ラッチボルト５６２は第一ばねにより、軸方向に沿い外筒５１の中に据え付けられる。こうして、鍵５９は内プラグ５２によりラッチボルト５６２を裏側に移動させる。位置関係から見れば、内プラグ５２が後ろに移動されることも言える。
【０１５３】
ラッチボルト５６２が後ろに移動する前、押し棒５６１の制御により、外プラグ５３は解除される条件がない。
【０１５４】
ラッチボルト５６２が後ろに移動する時、押し棒５６１を連動して後ろに移動させる。押し棒５６１が後ろに移動すると、第一下ピン５５１２は少しずつ下げる。ラッチボルト５６２が後ろに移動する時、ブロック５６３も少しずつ落下する。
【０１５５】
内プラグ５２が所定位置に回転されると、ラッチボルト５６２を連動して、後ろの所定位置に移動させて、第一下ピン２５２も所定位置に下がり、第一下ピン５５１２は鍵でロック解除できない位置から鍵でロック解除できる位置に切り替える。この時、外プラグ５３は解除条件を備える。この時のブロック５６３も完全に押し棒５６１の穴５６１２から脱出する。内プラグ５２は開閉扉機構５７を連動して、所定位置に回転させる。外プラグにある誘導溝により、上扉５７１、下扉５７２は同時に閉まる。内プラグ５２が所定位置に回転されると、遅延タイマー５８は圧縮され、遅延タイマーがエネルギー貯蔵状態になる。
【０１５６】
この時、外プラグ５３、内プラグ５２は同時に回転できるようになり、開錠する。鍵５９を抜き出すと、内プラグ５２が原始点に戻して、すべての部品は原始状態に復帰する。
【０１５７】
もし、所定時間内（遅延タイマーに対して、時間を設定できる）に、もし外プラグ５３と内プラグ５２が同時に回転しないと、遅延タイマー２９は仕事を始め、遅延タイマーをリセットする。遅延タイマーは押し棒５６１を前に移動させる。押し棒５６１が前に移動する時、第一下ピン５５１２を連動して上げさせる。これは第一下ピン５５１２を鍵でロック解除できる位置から鍵でロック解除できない位置に移動させる。制御装置５６は改めて外施錠機構５５を制御する。
【実施例６】
【０１５８】
図７４〜図１０１に示したように、本発明は二つのプラグが相互制御する錠前を提供する。該当錠前はシリンダーと鍵６１０を含める。前述したシリンダーは外筒６１、前プラグ６２、後ろプラグ６３を含める。前プラグ、後プラグを回転できるように外筒に取り付ける。後プラグ６３は軸方向に沿い移動もできる。前プラグ、後プラグと外筒の間に其々、鍵６１０で解除できる前施錠機構６５、後施錠機構６４を取り付ける。前述した前施錠機構６５は羽仕組みである。羽仕組みは一つのストッパー６５１と幾つかのストッパーの底にある凸部６５１２と合わせる羽６５２を含める。羽６５２には幾つかの溝６５２１を設置する。幾つかの溝６５２１の中に、ただ一つの溝６５２１が正解溝であり、他の溝はわな溝である。後プラグ６３にストッパーを制御する制御装置６６を設置する。後プラグ６３は所定位置に付く前に、ストッパー６５１は下げることができない。鍵６１０を鍵穴に差し込んだ後、鍵６１０はまず後ろ施錠機構６４を解除して、そして、後ろプラグ６３を押して、軸方向に沿い後ろに移動させることにより、ストッパー６５１を落下させる。ストッパー６５１の底にある凸部６５１２は下がり、羽６５２の正解溝に落ちる時、前施錠機構６５が解除される。前、後プラグは鍵６１０により同時に回転できるようになり、開錠する。ストッパー６５１の底にある凸部６５１２は下がり、わな溝に落ちると、前施錠機構６５が解除されない、羽６５２は移動できない。
【０１５９】
後プラグ６３と外筒６１の間にある後施錠機構６４はピン機構６４１である。該ピン機構６４１はラジアル方向に沿い後プラグ６３と外筒６１の間に取り付けられて、後プラグ６３の回転と軸方向に沿う移動を制限する。
【０１６０】
外筒６１に第一ストッパー溝６１１を設置する。前プラグ６２に第二ストッパー溝６２１を設置する。ストッパー６５１は外筒６１の第一ストッパー溝６１１と前プラグ６２の第二ストッパー溝６２１にある時、前プラグ６２は外筒６１の中で回転できない。ストッパー６５１の第一ストッパー溝６１１は完全に前プラグ６２の第二ストッパー溝６２１に入る時、前プラグ６２は外筒６１の中で回転できるようになる。
【０１６１】
前述した制御装置６６は押し棒６６１と、押し棒とストッパー６５１の間にある組合せ構造を含める。前述した前プラグ６２に軸方向に沿う押し棒溝６２２を設置する。該押し棒溝６２２は前プラグ６２の中にあるストッパーを入れている第二ストッパー溝と繋がる。前述した押し棒６６１は滑られるように前プラグ６２の押し棒溝６２２に取り付けられて、ストッパー６５１と組合せる。前述した押し棒６６１の末端は前述した後プラグ６３と連動して、方法としては挟まって、固定してもいい、一体化にして固定しても良い。後施錠機構６４が解除されない時、押し棒６６１は移動できない。押し棒６６１は所定位置に付く前に、ストッパー６５１は下がらない。
【０１６２】
前述した押し棒６６１とストッパー６５１の間にある組合せ構造は下記のものを含める。
【０１６３】
押し棒６６１にシュート６６１１を設置する。前述したストッパー６５１は押し棒６６１のシュート６６１１に滑る。そして、押し棒６６１とストッパー６５１は交差して移動させられる。
【０１６４】
ストッパー６５１に設置される第一凸ボス６５１１と押し棒６６１のシュート６６１１に設置される第一斜面６６１２、及び第一斜面に水平方向に沿い設置される第一金属片６６２、前述した第一斜面６６１２の底に第二凸ボス６６１３を設置する。前述した第一金属片６６２の一端は前述した第二凸ボス６６１３に固定する。前述した第一金属片６６２のもう一端は自由に第一斜面６６１２の頂部に置く。第二凸ボス６６１３のおかげで、第一金属片６６２を水平設置することができる。
【０１６５】
前述したストッパー６５１の第一凸ボス６５１１の突出寸法プラス第二凸ボス６６１３の幅寸法は第一斜面６６１２の幅寸法より小さくする。前述した第一金属片６６２の幅寸法は第一斜面６６１２の幅寸法と同じである。この寸法の組み合わせは、第一凸ボス６５１１が第二凸ボス６６１３を避けて、第一斜面６６１２に沿い移動させられる。
【０１６６】
押し棒６６１は後の所定位置に付く前、ストッパー６５１の第一凸ボス６５１１が第一金属片６６２に制限されることにより、ストッパー６５１は下がらない。押し棒６６１が後の所定位置に付くと、ストッパーの第一凸ボス６５１１が第一金属片６６２の制限から解放することにより、ストッパー６５１は下がる。押し棒６６１が前に移動する時、ストッパー６５１の第一凸ボス６５１１は押し棒のシュート６６１１の第一斜面６６１２に沿い上に移動する。押し棒６６１が前の所定位置に付くと、ストッパーの第一凸ボス６５１１は第一金属片６６２の自由端を外して、改めて第一金属片６６２の頂部に戻す。
【０１６７】
前述したストッパー６５１の頂部にはブロック６５３を設置する。ブロック６５３の頂部に第一ばね６５４を設置する。第一ばね６５４はブロック６５３の頂部と外筒６１の間に取り付けられる。取り付ける時、外筒６１の第一ストッパー溝６１１にヘード６５５を取り付けてある。第一ばね６５４はブロック６５３の頂部と外筒６１のヘード６５５の間に取り付けられる。
前述した正解溝とわな溝の断面は両方とも矩形である。
【０１６８】
前述した錠前は前プラグ６２の鍵穴の前部に設置される開閉扉機構６７を含める。該開閉扉機構６７は後プラグ６３と連動する。後プラグ６３が後の所定位置に移動すると、該開閉扉機構６７は鍵穴を閉めさせる。
【０１６９】
前述した開閉扉機構は上扉６７１と下扉６７２を含める。上扉、下扉と後プラグ６３の間に上扉押し棒６７３、下扉押し棒６７４を設置する。上扉押し棒と下扉押し棒の一端は後プラグ６３に固定する。上扉押し棒と下扉押し棒のもう一端は其々、前述した上扉と下扉を組み合わせる。鍵６１０が後プラグ６３、上扉押し棒と下扉押し棒を押し、後に移動させる時、前述した上扉と下扉は鍵穴を閉めさせる。
【０１７０】
上扉押し棒６７３は独立にしても良い部品であり、ストッパー押し棒６６１と一体化にしても良い。つまり、ストッパー押し棒６６１の延長部分を上扉押し棒６７３にする。
【０１７１】
前述した上扉６７１は前プラグ６２の鍵穴の上部に設置される。上扉６７１には上向きの第二斜面６７１１を設置する。上扉押し棒６７３の前端に下向きの三番目斜面６７３１を設置する。上扉の第二斜面６７１１が上扉押し棒の三番目斜面６７３１と組合せることにより、上扉押し棒６７３は後に移動する時、上扉６７１を連動して後に移動させる。
【０１７２】
前述した下扉６７２は前プラグ６２の鍵穴の前面の下側に設置される。下扉６７２に下向きの四番目斜面６７２１を設置する。下扉押し棒６７４の前端に上向きの五番目斜面６７４１を設置する。下扉６７２の四番目斜面６７２１が下扉押し棒の五番目斜面６７４１を組合せることにより、下扉押し棒６７４は後に移動する時、下扉６７２を連動して後に移動させる。
後ろプラグ３が原始の位置に復帰する時、すべての部品は原始状態に戻る。
【０１７３】
本発明の錠前は鍵６１０を抜いた時、前施錠機構６５、後施錠機構６４が両方とも解除されない。後施錠機構６４のピン機構６４１は後プラグ６３と前プラグ６２の間に挟まれる。前施錠機構６５のストッパー６５１は前プラグ６２と外筒６１の間に挟まれる。ストッパー６６１は移動しないと、ストッパー６５１の第一凸ボス６５１１は第一金属片６６２にあり、第一金属片６６２により、ストッパー６５１が落下できない。この時、開閉扉機構５７は開ける状態になる。即ち、上扉６７１、下扉６７２は其々、鍵穴の上側と下側にある。
【０１７４】
鍵６１０を差し入れて、後施錠機構と組み合わせる時、後施錠機構６４のピン機構が解除される。この時、上プラグ６２により、後プラグ６３は軸方向に沿い移動できるが、回転できない。前施錠機構６５のストッパー６５１はまだ前プラグ６２と外筒６１の間に挟まれる。ストッパー押し棒６６１も移動しない。ストッパー押し棒６６１の第一凸ボス６５１１は依然として第一金属片６６２にあり、番目金属片６６２により、ストッパー６５１が落下できない。この時、開閉扉機構は開ける状態にある。即ち、上扉６７１、下扉６７２は其々、鍵穴の上側と下側にある。
【０１７５】
鍵６１０が後に押される時、後プラグ６３は後に移動する。後プラグ６３はストッパー押し棒６６１を連動して後に移動させる。ストッパー６５１とストッパー押し棒６６１は相対的に移動する。ストッパー６５１の第一凸ボス６５１１は第一金属片６６２の中に移動する。後プラグ６３はまだストッパー６５１の落下を止める。後プラグ６３が後に移動するとともに、上扉押し棒６７３と下扉押し棒６７４により、上扉６７１、下扉６７２を合わせる方向に移動する。
【０１７６】
鍵６１０が後の所定位置に付くと、後プラグ６３はストッパー押し棒６６１を連動して後ろに移動させる。ストッパー６５１の第一凸ボス６５１１は第一金属片６６２から離れて、ストッパー６５１が落下する。もしこの時、鍵６１０が同時に前施錠機構６５と組み合わせると、ストッパー６５１の底にある凸部６５１２は正解穴に落ちて、ストッパー６５１が完全に外筒６１の第一ストッパー溝６１１から脱出する。前プラグ６２は外筒６１の中で回転できるようになり、鍵６１０に連動させて、前プラグ６２、後プラグ６３は同時に回転できて、開錠する。上扉押し棒６７３と下扉６７４により、上扉６７１と下扉６７２を合わせる。もしこの時、鍵６１０は前施錠機構６５と合わないと、（例えば、不正開錠される場合、後プラグは別の器具で解除される）、ストッパー６５１が依然として落下できるが、ストッパー６５１の底にある凸部６５１２は穴溝に落ちて、ストッパー６５１が完全に外筒６１の第一ストッパー溝６１１から脱出できなくて、前プラグ６２は外筒６１の中で回転できない。そして、わな溝がまだ羽の移動を制限するため、他の器具で前施錠機構が解除されることがあり得ない。ストッパー６５１の底にある凸部６５１２は穴溝に落ちる時、ストッパー６５１に応じる羽も制限されて、移動できなくなる。後プラグ６３をリセットしないと、即ち、ストッパー押し棒６６１は元の位置に戻して改めてストッパー６５１を上げないと、ストッパー６５１の底にある凸部６５１２は罠溝から脱出しなくて、羽は移動できない。だから、予め、羽の正解の位置を分かり、そしてそれを正しい位置に移動しなければならない。しないと、前プラグ６２を解除できない。
【０１７７】
リセットする時、鍵６１０を抜き出してから、後プラグ６３は軸方向のばね、あるいは、鍵の動きにより、前に移動してリセットする。後プラグ６３が前に移動することにより、ストッパー押し棒６６１も前に移動する。つまり、ストッパー６５１はストッパー押し棒６６１に対して、後に移動する。この時、ストッパー６５１の第一凸ボス６５１１は一番面斜面６６１２に従い、上昇する。つまり、ストッパー押し棒６６１はストッパー６５１を上げる。上扉押し棒６７３と下扉押し棒６７４により、上扉６７１と下扉６７２は段々離れる。後プラグ６３が原始点に戻す時、ストッパーの第一凸ボス６５１１は第一金属片６６２の自由端を外して、第一金属片６６２の上部に戻す。ストッパー６５１の底部も羽と合わない状態にある。
【実施例７】
【０１７８】
図１０２に示したように、本発明の両プラグが相互制御の錠前は実施例１と異なるのが遅延タイマーの構造が違うところにある。本実施例の遅延タイマーは機械摩擦式遅延タイマー７２である。該機械摩擦式遅延タイマー７２は押し棒７２１、ブロック７２２、固定座７２３と圧縮ばね７２４を含める。前述した押し棒７２１、ブロック７２２と圧縮ばね７２４は滑られるように、固定座７２３の内室に取り付けられる。押し棒のボス７２２１が滑られるように固定座のシュート７２３１に取り付けられる。圧縮ばね７２４の末端は引っ張りして固定座７２３の末端の内壁にくっつけられる。圧縮ばね７２４の前端は引っ張りしてブロック７２２の後部にある裏穴の末端にくっつけられる。ブロック７２２の前端は動けるように、押し棒７２１の後部にある裏穴の末端に取り付けられる。ブロックのボス７２２１はまた固定座シュート７２３１と組み合わせる。押し棒７２１は外部からの力に押される時、ブロックを連動して後ろに移動させるとともに、圧縮ばね７２４を圧縮して、圧縮ばねはエネルギーを蓄える。ブロック７２２は固定座シュート７２３１から脱出する時、ブロックの斜面７２２２が押し棒の斜面７２１２、固定座の斜面７２３２と組み合わせることにより、ある角度に回転する。ブロック７２２の回転スピードは三番目斜面の傾角と摩擦係数に制御される。ブロック７２２はそれにより、遅延動作を行う。ブロックのボス７２２１が固定座の次にある同じなシュートに回転させる。この時、押し棒７２１は外部からの力を受けてなく、圧縮ばね７２４がエネルギーを放出して、改めてブロック７２２と押し棒を原始点に戻させる。この原理により、遅延タイマー７２は変位したものをディレイにしてリセットさせることができる。
【実施例８】
【０１７９】
図１０３に示したように、本発明の両プラグが相互制御の錠前は実施例１と異なるのが遅延タイマーの構造が違うところにある。本実施例の遅延タイマーは時計付き遅延タイマー８１である。該時計付き遅延タイマー８１はラック８１１、減速機構、脱進機、振動機構、エネルギー貯蔵機構、単方向転送機構と固定座８１０を含める。固定座８１０は相応の機構を取り付ける。前述したラック８１１の一端は前述した制御装置と連接する。前述したラック８１１が減速機構と組合せる。前述した減速機構は前述した脱進機と連動する。前述したエネルギー貯蔵機構は前述した脱進機と連動する。前述した単方向転送機構は脱進機と減速機構の間に取り付けられる。脱進機は振動機構と組合せる。
【０１８０】
前述した減速機構は小歯車８１２、減速歯車８１３と駆動歯車８１４を含める。小歯車８１２と減速歯車８１３は同じ軸に固定される。前述したラック８１１の歯構造は小歯車８１２と組み合わせる。減速歯車８１３は駆動歯車８１４と噛み合う。減速歯車８１３を大きく設計して、駆動歯車８１４を小さくすることにより、減速させる。前述した脱進機はがんぎ車８１５とアンクル８１６を含める。前述した駆動歯車８１４とがんぎ車８１５は同じ回転軸８１７に固定される。前述したエネルギー貯蔵機構はエネルギー貯蔵ねじりばね８１８を含める。エネルギー貯蔵ねじりばね８１８は前述した回転軸８１７に取り付けられる。振動機構はひげぜんまい８１９と弾み車８２０を含める。前述したひげぜんまい８１９は前述した弾み車８２０に取り付けられる。前述したアンクル８１６は円盤釘により前述した弾み車８２０のなかに取り付けられて、アンクル８１６の一端が弾み車８２０の揺れと共に揺れさせられる。前述したアンクル８１６の一端に出づめ８２１を設置する。前述したアンクル８１６と出づめ８２１により、前述したがんぎ車８１５と組み合わせる。アンクル８１６によりがんぎ車８１５が連続的に早く回転できないように制御される。前述した単方向輸送機構は弾性シート８２２と前述したがんぎ車８１５に設置されるくさび形凸ボス８２３を含める。前述した弾性シート８２２の一端は前述した駆動歯車８１４に固定されて、もう一端は前述したがんぎ車８１５のくさび形凸ボス８２３と組み合わせる。
【０１８１】
制御装置（後ろプラグも良い）が後に移動する時、ラック８１１を連動して後に移動させる。ラック８１１は小歯車８１２を連動して回転させる。小歯車８１２は減速歯車８１３を連動して回転させる。減速歯車８１３は駆動歯車８１４を回転させる。こうして、エネルギー貯蔵ねじりばね８１８にエネルギーを蓄えさせる。制御装置（後ろプラグも良い）が後の所定位置に付くと、エネルギー貯蔵ねじりばね８１８がエネルギーを蓄えることが完成するにつれて、制御装置（後ろプラグも良い）はラック８１１に対する制御を解除して、ラック８１１がリセットされて、駆動歯車８１４により前に移動する。それと共に、駆動歯車８１４ががんぎ車８１５に固定されるので、アンクル８１６はがんぎ車８１５の回転を制御し始める。アンクル８１６は揺れ動くと、がんぎ車８１５がある角度に回転して、駆動歯車８１４がある角度に回転できる。ラック８１１が前に進む。アンクル８１６は固有頻度で揺れ動き、ラック８１１をゆっくり元の位置に戻させて、遅延効果を得る。アンクル８１６が固有頻度で揺れ動くのは、それがひげぜんまい８１９と弾み車８２０の共同作用を受けたからである。弾み車８２０はひげぜんまい８１９により、固有頻度で往復して揺れる。弾み車８２０にある丸盤釘がアンクル８１６を制御して同時に揺れさせる。弾性シート８２２の一端が駆動歯車８１４に固定されるので、弾性シート８２２のもう一端はがんぎ車８１５になるくさび形凸ボス８２３と組み合わせる。こうして、駆動歯車８１４とがんぎ車８１５は単方向嵌め合いとなる。
【実施例９】
【０１８２】
図１０４に示したように、本発明の両プラグが相互制御の錠前は実施例１と異なるのが遅延タイマーの構造が違うところにある。前述下タイマーは減衰タイマー９１である。該減衰タイマー９１はラック９１１、減衰歯車９１２、圧縮ばね９１３と減衰器を含める。前述したラック９１１の一端は前述した制御装置と繋がる。前述した圧縮ばね９１３を引っ張りしてラック９１１のもう一端にくっつける。ラック９１１の歯構造は減衰歯車９１２と組み合わせる。前述した減衰器はスプール９１４減衰ケース９１５を含める。前述したスプール９１４は減衰ケースの中に取り付けられて、減衰歯車９１２と同一軸に繋がる。
【０１８３】
制御装置（後ろプラグも良い）が後に移動する時、ラック９１１を連動して後に移動させて、ばね９１３にエネルギーを蓄えさせる。制御装置（後ろプラグも良い）が後の所定位置に付くと、ばね９１３がエネルギーを蓄えることが完成するにつれて、制御装置（後ろプラグも良い）はラック９１１に対する制御を解除して、ラック９１１が原始点に戻ろうとする。それと共に、ラック９１１は減衰歯車９１２に回転させる。減衰歯車９１２は圧縮ばね９１３からの駆動力を受ける一方、減衰器の回転抵抗力も受けるため、徐々に回転しかできない。ラック９１１も徐々に移動しかできない。この故、ラック９１１は遅延してリセットすることができる。減衰器はスプール９１４とケース９１５からなる。スプール９１４とケース９１５の間に接着剤を注いであるので、ケース９１５は回転できない。スプール９１４の回転は接着剤の影響を受けて、回転スピードが速ければ、受ける接着剤の抵抗力も大きくなる。
【０１８４】
本発明は二つのプラグが相互制御することを利用する。第一プラグを解除する前、第一プラグは第二のプラグの解除を制限する。第二プラグは第一プラグの回転を制限する。第一のプラグを解除した後、プレセットの位置偏差を利用して、第一位置から第二位置に移動できるが、回転できない。第一プラグが所定位置につくと、第二プラグに対する制限を解除するが、第二プラグはまだ第一プラグの回転を制限する。第二プラグを解除した後、第一プラグと二面目プラグを同時に回転できるようになり、開錠する。この中、第一プラグが位置偏差をプレセットするにかかる時間は時差である。本発明は二つのプラグが相互制御することだけでなく、時差も利用して幾つかの制限条件を作る。こうして、ロジック面から技術的な不正開錠の可能性をゼロにする。両プラグと両プラグの相互制御の構造は工業にも実現しやすい一方、本発明の二つプラグが相互制御の錠前の各部品も工業には加工容易である。
【０１８５】
前述したものはただ本発明の比較的に良い実施例だけなので、決して本発明の範囲をこれらに限定することができない。即ち、本発明の権利範囲と明細書により作った同様な効果を得られる変動あるいは修飾も本発明の発明範囲に入れるべきである。
【図１】
2018509543.tif 000003
【図２】
2018509543.tif 000004
【図３】
2018509543.tif 000005
【図４】
2018509543.tif 000006
【図５】
2018509543.tif 000007
【図６】
2018509543.tif 000008
【図７】
2018509543.tif 000009
【図８】
2018509543.tif 000010
【図９】
2018509543.tif 000011
【図１０】
2018509543.tif 000012
【図１１】
2018509543.tif 000013
【図１２】
2018509543.tif 000014
【図１３】
2018509543.tif 000015
【図１４】
2018509543.tif 000016
【図１５】
2018509543.tif 000017
【図１６】
2018509543.tif 000018
【図１７】
2018509543.tif 000019
【図１８】
2018509543.tif 000020
【図１９】
2018509543.tif 000021
【図２０】
2018509543.tif 000022
【図２１】
2018509543.tif 000023
【図２２】
2018509543.tif 000024
【図２３】
2018509543.tif 000025
【図２４】
2018509543.tif 000026
【図２５】
2018509543.tif 000027
【図２６】
2018509543.tif 000028
【図２７】
2018509543.tif 000029
【図２８】
2018509543.tif 000030
【図２９】
2018509543.tif 000031
【図３０】
2018509543.tif 000032
【図３１】
2018509543.tif 000033
【図３２】
2018509543.tif 000034
【図３３】
2018509543.tif 000035
【図３４】
2018509543.tif 000036
【図３５】
2018509543.tif 000037
【図３６】
2018509543.tif 000038
【図３７】
2018509543.tif 000039
【図３８】
2018509543.tif 000040
【図３９】
2018509543.tif 000041
【図４０】
2018509543.tif 000042
【図４１】
2018509543.tif 000043
【図４２】
2018509543.tif 000044
【図４３】
2018509543.tif 000045
【図４４】
2018509543.tif 000046
【図４５】
2018509543.tif 000047
【図４６】
2018509543.tif 000048
【図４７】
2018509543.tif 000049
【図４８】
2018509543.tif 000050
【図４９】
2018509543.tif 000051
【図５０】
2018509543.tif 000052
【図５１】
2018509543.tif 000053
【図５２】
2018509543.tif 000054
【図５３】
2018509543.tif 000055
【図５４】
2018509543.tif 000056
【図５５】
2018509543.tif 000057
【図５６】
2018509543.tif 000058
【図５７】
2018509543.tif 000059
【図５８】
2018509543.tif 000060
【図５９】
2018509543.tif 000061
【図６０】
2018509543.tif 000062
【図６１】
2018509543.tif 000063
【図６２】
2018509543.tif 000064
【図６３】
2018509543.tif 000065
【図６４】
2018509543.tif 000066
【図６５】
2018509543.tif 000067
【図６６】
2018509543.tif 000068
【図６７】
2018509543.tif 000069
【図６８】
2018509543.tif 000070
【図６９】
2018509543.tif 000071
【図７０】
2018509543.tif 000072
【図７１】
2018509543.tif 000073
【図７２】
2018509543.tif 000074
【図７３】
2018509543.tif 000075
【図７４】
2018509543.tif 000076
【図７５】
2018509543.tif 000077
【図７６】
2018509543.tif 000078
【図７７】
2018509543.tif 000079
【図７８】
2018509543.tif 000080
【図７９】
2018509543.tif 000081
【図８０】
2018509543.tif 000082
【図８１】
2018509543.tif 000083
【図８２】
2018509543.tif 000084
【図８３】
2018509543.tif 000085
【図８４】
2018509543.tif 000086
【図８５】
2018509543.tif 000087
【図８６】
2018509543.tif 000088
【図８７】
2018509543.tif 000089
【図８８】
2018509543.tif 000090
【図８９】
2018509543.tif 000091
【図９０】
2018509543.tif 000092
【図９１】
2018509543.tif 000093
【図９２】
2018509543.tif 000094
【図９３】
2018509543.tif 000095
【図９４】
2018509543.tif 000096
【図９５】
2018509543.tif 000097
【図９６】
2018509543.tif 000098
【図９７】
2018509543.tif 000099
【図９８】
2018509543.tif 000100
【図９９】
2018509543.tif 000101
【図１００】
2018509543.tif 000102
【図１０１】
2018509543.tif 000103
【図１０２】
2018509543.tif 000104
【図１０３】
2018509543.tif 000105
【図１０４】
2018509543.tif 000106
【国際調査報告】
2018509543.tif 000107
2018509543.tif 000108
2018509543.tif 000109
2018509543.tif 000110